(57)【要約】【課題】放送波による広域の情報配信のメリットを活かしつつ、配信データを各端末側で自己位置や移動経路に対応させて取捨選択することで、各移動通信端末の位置状況に応じた情報を提供することが可能なナビゲーションシステム、情報提供方法及び移動通信端末を提供する。【解決手段】ナビゲーションシステム１０の放送局２２は、複数種類のコンテンツファイル及び少なくとも１つの案内ファイルを含む複数のデータファイルを複数の移動通信端末１４に対してデジタル放送する。移動通信端末１４では、現在位置又は目的地までの案内経路に対応するコンテンツファイルを、案内ファイルの関連付け情報を用いて特定して用いる。【選択図】図１０
2014167409.tif 000002
【特許請求の範囲】
【請求項１】
現在位置を検出する複数の移動通信端末とサーバの間で双方向通信を行い、前記移動通信端末で設定された目的地までの案内経路を前記サーバが検索して対応する前記移動通信端末に通知し、通知された前記案内経路に基づいて前記移動通信端末が経路案内をするナビゲーションシステムであって、
さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、
前記複数種類のコンテンツファイルのそれぞれは、前記複数の移動通信端末に表示又は出力させるコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記複数の移動通信端末は、
前記複数種類のコンテンツファイル及び前記案内ファイルを受信するデジタル放送受信部を備え、
各移動通信端末で検出し且つ前記案内ファイルに含まれる前記現在位置を含む現在地域の識別子又は前記サーバから通知された案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送から抽出し、
各移動通信端末で抽出した前記コンテンツファイルに含まれるコンテンツ情報を表示又は出力する
ことを特徴とするナビゲーションシステム。
【請求項２】
請求項１記載のナビゲーションシステムにおいて、
前記コンテンツファイルはそれぞれ複数の断片に分割され、
前記デジタル放送局は、前記複数種類のコンテンツファイルの断片それぞれを１度配信する配信周期の間に同一内容の前記案内ファイルを複数回配信する
ことを特徴とするナビゲーションシステム。
【請求項３】
請求項１又は２記載のナビゲーションシステムにおいて、
前記案内ファイルに含まれる前記関連付け情報は、前記コンテンツファイルの識別子及び前記放送対象地域の識別子に関連づけた各コンテンツファイルの更新情報を含み、
前記移動通信端末は、あるコンテンツファイルを受信した後、前記コンテンツファイルの識別子が同一である新たなコンテンツファイルを受信した場合、前記更新情報が内容の更新を示すものであれば、前記新たなコンテンツファイルに含まれるコンテンツ情報を表示又は出力し、前記更新情報が内容の更新を示すものでなければ、前記新たなコンテンツファイルに含まれるコンテンツ情報を表示又は出力しない
ことを特徴とするナビゲーションシステム。
【請求項４】
請求項２又は請求項２に従属する請求項３記載のナビゲーションシステムにおいて、
前記案内ファイルは、さらに、前記断片の数に関する情報を含み、
前記移動通信端末は、抽出対象の前記コンテンツファイルの断片の数がそろわない場合、次回の配信周期まで受信済の前記断片を記憶し続ける
ことを特徴とするナビゲーションシステム。
【請求項５】
請求項１〜４のいずれか１項に記載のナビゲーションシステムにおいて、
前記複数種類のコンテンツファイルは、前記コンテンツ情報の内容に対応したカテゴリ毎に区分され、
前記案内ファイル又は前記コンテンツファイル自体は、前記コンテンツ情報の表示又は出力に関する優先度を前記カテゴリ毎に規定した優先度情報を含み、
前記デジタル放送局は、前記優先度に応じて放送帯域又は配信周期を設定して前記コンテンツファイルを放送し、
前記移動通信端末は、前記優先度情報に応じて前記コンテンツ情報を表示又は出力する
ことを特徴とするナビゲーションシステム。
【請求項６】
複数の移動通信端末とサーバの間で双方向通信を行う双方向通信ステップと、デジタル放送局から前記複数のクライアント端末に対してデジタル放送するデジタル放送ステップとを備える情報提供方法であって、
前記双方向通信ステップは、
前記移動通信端末から前記サーバに対して、前記移動通信端末の現在位置と、目的地までの案内経路の探索要求とを無線通信を介して行う経路探索要求ステップと、
前記サーバが探索した前記案内経路を、前記サーバから前記移動通信端末に対して無線通信を介して送信する探索経路送信ステップと、
前記移動通信端末において、前記サーバから取得した前記案内経路を用いて経路案内を行う経路案内ステップと
を備え、
前記デジタル放送ステップは、
前記デジタル放送局から前記複数の移動通信端末に対してコンテンツ情報をデジタル放送する放送ステップと、
前記移動通信端末において、前記デジタル放送を受信して前記デジタル放送に含まれる前記コンテンツ情報を表示又は出力するコンテンツ受信ステップと
を備え、
前記デジタル放送は、複数種類のコンテンツファイル及び少なくとも１つの案内ファイルからなる複数のデータファイルの放送を含み、
前記複数種類のコンテンツファイルのそれぞれは、前記複数の移動通信端末に表示又は出力させる前記コンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記コンテンツ受信ステップは、
前記案内ファイルに含まれ且つ前記現在位置を含む現在地域の識別子又は前記サーバから取得した案内経路を含む移動予定地域の識別子と一致する前記放送対象地域の識別子に関連付けられた前記コンテンツファイルを前記関連付け情報を用いて特定するコンテンツファイル特定ステップと、
特定した前記コンテンツファイルを前記デジタル放送から抽出するコンテンツファイル抽出ステップと、
抽出した前記コンテンツファイルに含まれるコンテンツ情報を表示又は出力するコンテンツ表示・出力ステップと
を有することを特徴とする情報提供方法。
【請求項７】
現在位置を検出する現在位置検出部と、
目的地を入力する目的地入力部と、
前記目的地までの案内経路を表示又は出力する経路案内部と、
前記案内経路を探索するサーバと通信する無線通信部と、
デジタル放送を受信するデジタル放送受信部と
を備える移動通信端末であって、
前記デジタル放送受信部は、前記デジタル放送から複数種類のコンテンツファイル及び少なくとも１つの案内ファイルを特定し、
前記複数種類のコンテンツファイルのそれぞれは、前記経路案内部が表示又は出力するコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記経路案内部は、
前記現在位置検出部が検出した前記現在位置と、前記目的地入力部に入力された前記目的地までの案内経路の探索要求とを前記無線通信部を介して前記サーバに要求し、
前記サーバが探索した前記案内経路を前記無線通信部を介して取得し、
さらに、前記経路案内部は、
前記案内ファイルに含まれ且つ前記現在位置検出部が検出した前記現在位置を含む現在地域の識別子又は前記サーバから取得した案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送受信部を介して前記デジタル放送から抽出し、
抽出した前記コンテンツファイルに含まれるコンテンツ情報を表示又は出力する
ことを特徴とする移動通信端末。
【請求項８】
現在位置検出機能を有する複数の移動通信端末それぞれにおいて経路案内を行うナビゲーションシステムであって、
さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、
前記複数種類のコンテンツファイルのそれぞれは、前記複数の移動通信端末に表示又は出力させるコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記複数の移動通信端末は、
前記複数種類のコンテンツファイル及び前記案内ファイルを受信するデジタル放送受信部を備え、
各移動通信端末で検出した現在位置を含む現在地域の識別子又は前記移動通信端末に入力された目的地までの案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送から抽出し、
各移動通信端末で抽出した前記コンテンツファイルに含まれるコンテンツ情報を表示又は出力する
ことを特徴とするナビゲーションシステム。
【請求項９】
現在位置検出機能を有する複数の移動通信端末に対してデジタル放送局からデジタル放送による情報提供を行う情報提供方法であって、
前記情報提供方法は、
前記デジタル放送局から前記複数の移動通信端末に対してコンテンツ情報をデジタル放送する放送ステップと、
前記移動通信端末において、前記デジタル放送を受信して前記デジタル放送に含まれる前記コンテンツ情報を表示又は出力するコンテンツ受信ステップと
を備え、
前記デジタル放送は、複数種類のコンテンツファイル及び少なくとも１つの案内ファイルからなる複数のデータファイルの放送を含み、
前記複数種類のコンテンツファイルのそれぞれは、前記複数の移動通信端末に表示又は出力させる前記コンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記コンテンツ受信ステップは、
前記移動通信端末で検出した現在位置を含む現在地域の識別子又は前記移動通信端末に入力された目的地までの案内経路を含む移動予定地域の識別子と一致する前記放送対象地域の識別子に関連付けられた前記コンテンツファイルを前記関連付け情報を用いて特定するコンテンツファイル特定ステップと、
特定した前記コンテンツファイルを前記デジタル放送から抽出するコンテンツファイル抽出ステップと、
抽出した前記コンテンツファイルに含まれるコンテンツ情報を表示又は出力するコンテンツ表示・出力ステップと
を有することを特徴とする情報提供方法。
【請求項１０】
現在位置を検出する現在位置検出部と、
目的地を入力する目的地入力部と、
前記目的地までの案内経路を表示又は出力する経路案内部と、
デジタル放送を受信するデジタル放送受信部と
を備える移動通信端末であって、
前記デジタル放送受信部は、前記デジタル放送から複数種類のコンテンツファイル及び少なくとも１つの案内ファイルを特定し、
前記複数種類のコンテンツファイルのそれぞれは、前記経路案内部が表示又は出力するコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記経路案内部は、
前記現在位置検出部が検出した前記現在位置を含む現在地域の識別子又は前記目的地入力部に入力された前記目的地までの案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送受信部を介して前記デジタル放送から抽出し、
抽出した前記コンテンツファイルに含まれるコンテンツ情報を表示又は出力する
ことを特徴とする移動通信端末。
【発明の詳細な説明】
【技術分野】
【０００１】
本発明は、現在位置を検出可能な移動通信端末に対して放送により各種の情報を配信するナビゲーションシステム及び情報提供方法並びに前記ナビゲーションシステム又は前記情報提供方法で利用可能な移動通信端末に関する。
【背景技術】
【０００２】
特許文献１には、ナビゲーション装置１０２を有する車載受信装置１００が開示されている。この車載受信装置１００では、ナビゲーション装置１０２を用いて経路案内を行う（［００３２］〜［００３７］）と共に、デジタル放送に含まれる緊急情報（災害情報等）をナビゲーション装置１０２を介してモニタ１０３に表示する（要約）。
【０００３】
特許文献１では、デジタル放送に含まれている緊急情報を判別するに際し、まず受信したデータ中に緊急警報放送用フラグ（緊急情報フラグ）の値が１であるか否かを判断する（［００１７］、［００２０］）。緊急情報フラグの値が１である場合、緊急情報とタグ付けされたデータを抽出して用いる（［００２０］）。換言すると、特許文献１では、配信されるデータ自体の内容を確認して緊急情報として用いるか否かを判定している。
【０００４】
また、特許文献１の第３実施形態では、ナビゲーション装置１０２が、経路案内をする中で（すなわち、経路情報を用いながら）、車両の位置情報と災害発生地点の位置情報を用いて、緊急情報の表示の優先度を判定する構成が示されている（［００７０］〜［００７２］）。また、第３実施形態の変形例として、例えば、テロ等の人為的な災害が発生した等の緊急情報については、放送局側で表示の優先度を決定しておいてもよい旨が記載されている（［００７３］）。
【先行技術文献】
【特許文献】
【０００５】
【特許文献１】特開２００７−０６０４８９号公報
【発明の概要】
【発明が解決しようとする課題】
【０００６】
上記のように、特許文献１では、ナビゲーション装置１０２が、デジタル放送で受信した災害発生地点の位置情報と車両のＧＰＳで検出した自己の位置情報とを用いて、緊急情報の表示の優先度を判定することが示されている（［００７０］〜［００７２］）。しかしながら、特許文献１に開示されている構成では、広域にわたって配信される同一フォーマットのデータの一部を災害位置との距離で設定した優先順位で選択して表示するにとどまる。
【０００７】
また、緊急情報等はなるべく短い周期で新情報に更新されるべきものであるが、特許文献１に開示されている構成では、広域にわたるデータ修正のためのサーバ負荷が大きく、このデータの更新周期を短縮するためには放送データを更新するサーバ側での作業負荷が大変大きくなるという問題があった。
【０００８】
本発明は上記のような課題を考慮してなされたものであり、放送波による広域の情報配信のメリットを活かしつつ、配信データを各移動通信端末側で自己位置や移動経路に対応させて取捨選択することで、各移動通信端末の位置状況に応じた情報を提供することが可能なナビゲーションシステム、情報提供方法及び移動通信端末を提供することを目的とする。
【課題を解決するための手段】
【０００９】
本発明に係るナビゲーションシステムは、現在位置を検出する複数の移動通信端末とサーバの間で双方向通信を行い、前記移動通信端末で設定された目的地までの案内経路を前記サーバが検索して対応する前記移動通信端末に通知し、通知された前記案内経路に基づいて前記移動通信端末が経路案内をするものであって、さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、前記複数種類のコンテンツファイルのそれぞれは、前記複数の移動通信端末に表示又は出力させるコンテンツ情報と、前記複数種類のコンテンツファイルの識別子とを含み、前記案内ファイルは、前記複数種類のコンテンツファイルの識別子と放送対象地域の識別子とを関連付けした情報である関連付け情報を含み、前記複数の移動通信端末は、前記複数種類のコンテンツファイル及び前記案内ファイルを受信するデジタル放送受信部を備え、各移動通信端末で検出し且つ前記案内ファイルに含まれる前記現在位置を含む現在地域の識別子又は前記サーバから通知された案内経路を含む移動予定地域の識別子と一致する前記放送対象地域の識別子に関連付けられた前記コンテンツファイルを前記関連付け情報を用いて特定し、特定した前記コンテンツファイルを前記デジタル放送から抽出し、抽出した前記コンテンツファイルに含まれるコンテンツ情報を表示又は出力することを特徴とする。
【００１０】
本発明によれば、複数の移動通信端末では、デジタル放送に含まれる案内ファイルに基づいて抽出すべきコンテンツファイルを特定できる。このため、各移動通信端末において、現在位置又は案内経路に対応するコンテンツ情報を簡易に且つ過不足なく取得して表示又は出力することが可能となる。
【００１１】
また、各移動通信端末では案内ファイルを参照した上、コンテンツファイルの識別子を監視することで抽出すべきコンテンツファイルを特定する。このため、コンテンツファイル中のコンテンツ情報の内容を確認する必要がなくなり、各移動通信端末は、現在位置又は案内経路に関連するコンテンツファイルを効率よく取捨選択することが可能となる。
【００１２】
前記コンテンツファイルはそれぞれ複数の断片に分割され、前記デジタル放送局は、前記複数種類のコンテンツファイルの断片それぞれを１度配信する配信周期の間に同一内容の前記案内ファイルを複数回配信してもよい。これにより、複数種類のコンテンツファイルそれぞれを１度配信する配信周期の途中であっても、各移動通信端末は、案内ファイルを取得した時点で、現在位置又は案内経路に関連するコンテンツファイルの断片の取得を開始することが可能になる。従って、コンテンツファイルの断片の取得の開始タイミングを早めることが可能となる。
【００１３】
前記案内ファイルに含まれる前記関連付け情報は、前記コンテンツファイルの識別子及び前記放送対象地域の識別子に関連付けた各コンテンツファイルの更新情報を含み、前記移動通信端末は、あるコンテンツファイルを受信した後、前記コンテンツファイルの識別子が同一である新たなコンテンツファイルを受信した場合、前記更新情報が内容の更新を示すものであれば、前記新たなコンテンツファイルに含まれるコンテンツ情報を表示又は出力し、前記更新情報が内容の更新を示すものでなければ、前記新たなコンテンツファイルに含まれるコンテンツ情報を表示又は出力しなくてもよい。これにより、全く同一のコンテンツ情報を含むコンテンツファイルを処理する負荷を軽減することが可能となる。
【００１４】
前記案内ファイルは、さらに、前記断片の数に関する情報を含み、前記移動通信端末は、抽出対象の前記コンテンツファイルの断片の数がそろわない場合、次回の配信周期まで受信済の前記断片を記憶し続けてもよい。これにより、断片の一部が取得できない場合、受信済の断片を維持して次の配信周期に備えることが可能となる。
【００１５】
前記複数種類のコンテンツファイルは、前記コンテンツ情報の内容に対応したカテゴリ毎に区分され、前記案内ファイル又は前記コンテンツファイル自体は、前記コンテンツ情報の表示又は出力に関する優先度を前記カテゴリ毎に規定した優先度情報を含み、前記デジタル放送局は、前記優先度に応じて放送帯域又は配信周期を設定して前記コンテンツファイルを放送し、前記移動通信端末は、前記優先度情報に応じて前記コンテンツ情報を表示又は出力してもよい。
【００１６】
これにより、優先度に応じた放送帯域又は配信周期によりコンテンツファイルを放送するため、優先度に応じて（例えば、津波等の災害情報であれば優先して）コンテンツ情報を移動通信端末に届けることが可能となる。また、移動通信端末では、優先度情報に応じてコンテンツ情報を表示又は出力するため、優先度に応じた適切な表示又は出力が可能となる。
【００１７】
本発明に係る情報提供方法は、複数の移動通信端末とサーバの間で双方向通信を行う双方向通信ステップと、デジタル放送局から前記複数の移動通信端末に対してデジタル放送するデジタル放送ステップとを備えるものであって、前記双方向通信ステップは、前記移動通信端末から前記サーバに対して、前記移動通信端末の現在位置と、目的地までの案内経路の探索要求とを無線通信を介して行う経路探索要求ステップと、前記サーバが探索した前記案内経路を、前記サーバから前記移動通信端末に対して無線通信を介して送信する探索経路送信ステップと、前記移動通信端末において、前記サーバから取得した前記案内経路を用いて経路案内を行う経路案内ステップとを備え、前記デジタル放送ステップは、前記デジタル放送局から前記複数の移動通信端末に対してコンテンツ情報をデジタル放送する放送ステップと、前記移動通信端末において、前記デジタル放送を受信して前記デジタル放送に含まれる前記コンテンツ情報を表示又は出力するコンテンツ受信ステップとを備え、前記デジタル放送は、複数種類のコンテンツファイル及び少なくとも１つの案内ファイルからなる複数のデータファイルの放送を含み、前記複数種類のコンテンツファイルのそれぞれは、前記複数の移動通信端末に表示又は出力させる前記コンテンツ情報と、前記複数種類のコンテンツファイルの識別子とを含み、前記案内ファイルは、前記複数種類のコンテンツファイルの識別子と放送対象地域の識別子とを関連付けした情報である関連付け情報を含み、前記コンテンツ受信ステップは、前記案内ファイルに含まれ且つ前記現在位置を含む現在地域の識別子又は前記サーバから取得した案内経路を含む移動予定地域の識別子と一致する前記放送対象地域の識別子に関連付けられた前記コンテンツファイルを前記関連付け情報を用いて特定するコンテンツファイル特定ステップと、特定した前記コンテンツファイルを前記デジタル放送から抽出するコンテンツファイル抽出ステップと、抽出した前記コンテンツファイルに含まれるコンテンツ情報を表示又は出力するコンテンツ表示・出力ステップとを有することを特徴とする。
【００１８】
本発明に係る移動通信端末は、現在位置を検出する現在位置検出部と、目的地を入力する目的地入力部と、前記目的地までの案内経路を表示又は出力する経路案内部と、前記案内経路を探索するサーバと通信する無線通信部と、デジタル放送を受信するデジタル放送受信部とを備えるものであって、前記デジタル放送受信部は、前記デジタル放送から複数種類のコンテンツファイル及び少なくとも１つの案内ファイルを特定し、前記複数種類のコンテンツファイルのそれぞれは、前記経路案内部が表示又は出力するコンテンツ情報と、前記複数種類のコンテンツファイルの識別子とを含み、前記案内ファイルは、前記複数種類のコンテンツファイルの識別子と放送対象地域の識別子とを関連付けした情報である関連付け情報を含み、前記経路案内部は、前記現在位置検出部が検出した前記現在位置と、前記目的地入力部に入力された前記目的地までの案内経路の探索要求とを前記無線通信部を介して前記サーバに要求し、前記サーバが探索した前記案内経路を前記無線通信部を介して取得し、さらに、前記経路案内部は、前記案内ファイルに含まれ且つ前記現在位置検出部が検出した前記現在位置を含む現在地域の識別子又は前記サーバから取得した案内経路を含む移動予定地域の識別子と一致する前記放送対象地域の識別子に関連付けられた前記コンテンツファイルを前記関連付け情報を用いて特定し、特定した前記コンテンツファイルを前記デジタル放送受信部を介して前記デジタル放送から抽出し、抽出した前記コンテンツファイルに含まれるコンテンツ情報を表示又は出力することを特徴とする。
【００１９】
本発明に係るナビゲーションシステムは、現在位置検出機能を有する複数の移動通信端末それぞれにおいて経路案内を行うものであって、さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、前記複数種類のコンテンツファイルのそれぞれは、前記複数の移動通信端末に表示又は出力させるコンテンツ情報と、前記複数種類のコンテンツファイルの識別子とを含み、前記案内ファイルは、前記複数種類のコンテンツファイルの識別子と放送対象地域の識別子とを関連付けした情報である関連付け情報を含み、前記複数の移動通信端末は、前記複数種類のコンテンツファイル及び前記案内ファイルを受信するデジタル放送受信部を備え、各移動通信端末で検出した現在位置を含む現在地域の識別子又は前記移動通信端末に入力された目的地までの案内経路を含む移動予定地域の識別子と一致する前記放送対象地域の識別子に関連付けられた前記コンテンツファイルを前記関連付け情報を用いて特定し、特定した前記コンテンツファイルを前記デジタル放送から抽出し、各移動通信端末で抽出した前記コンテンツファイルに含まれるコンテンツ情報を表示又は出力することを特徴とする。
【００２０】
本発明に係る情報提供方法は、現在位置検出機能を有する複数の移動通信端末に対してデジタル放送局からデジタル放送による情報提供を行うものであって、前記情報提供方法は、前記デジタル放送局から前記複数の移動通信端末に対してコンテンツ情報をデジタル放送する放送ステップと、前記移動通信端末において、前記デジタル放送を受信して前記デジタル放送に含まれる前記コンテンツ情報を表示又は出力するコンテンツ受信ステップとを備え、前記デジタル放送は、複数種類のコンテンツファイル及び少なくとも１つの案内ファイルからなる複数のデータファイルの放送を含み、前記複数種類のコンテンツファイルのそれぞれは、前記複数の移動通信端末に表示又は出力させる前記コンテンツ情報と、前記複数種類のコンテンツファイルの識別子とを含み、前記案内ファイルは、前記複数種類のコンテンツファイルの識別子と放送対象地域の識別子とを関連付けした情報である関連付け情報を含み、前記コンテンツ受信ステップは、前記移動通信端末で検出した現在位置を含む現在地域の識別子又は前記移動通信端末に入力された目的地までの案内経路を含む移動予定地域の識別子と一致する前記放送対象地域の識別子に関連付けられた前記コンテンツファイルを前記関連付け情報を用いて特定するコンテンツファイル特定ステップと、特定した前記コンテンツファイルを前記デジタル放送から抽出するコンテンツファイル抽出ステップと、抽出した前記コンテンツファイルに含まれるコンテンツ情報を表示又は出力するコンテンツ表示・出力ステップとを有することを特徴とする。
【００２１】
本発明に係る移動通信端末は、現在位置を検出する現在位置検出部と、目的地を入力する目的地入力部と、前記目的地までの案内経路を表示又は出力する経路案内部と、デジタル放送を受信するデジタル放送受信部とを備えるものであって、前記デジタル放送受信部は、前記デジタル放送から複数種類のコンテンツファイル及び少なくとも１つの案内ファイルを特定し、前記複数種類のコンテンツファイルのそれぞれは、前記経路案内部が表示又は出力するコンテンツ情報と、前記複数種類のコンテンツファイルの識別子とを含み、前記案内ファイルは、前記複数種類のコンテンツファイルの識別子と放送対象地域の識別子とを関連付けした情報である関連付け情報を含み、前記経路案内部は、前記現在位置検出部が検出した前記現在位置を含む現在地域の識別子又は前記目的地入力部に入力された前記目的地までの案内経路を含む移動予定地域の識別子と一致する前記放送対象地域の識別子に関連付けられた前記コンテンツファイルを前記関連付け情報を用いて特定し、特定した前記コンテンツファイルを前記デジタル放送受信部を介して前記デジタル放送から抽出し、抽出した前記コンテンツファイルに含まれるコンテンツ情報を表示又は出力することを特徴とする。
【００２２】
本発明に係る放送システムは、現在位置検出部を有する複数の通信端末に対して放送局から放送により情報提供を行うものであって、前記放送局は、複数種類のコンテンツファイル及び少なくとも１つの案内ファイルを含む複数のデータファイルを前記複数の通信端末に対して放送し、前記複数種類のコンテンツファイルのそれぞれは、前記複数の通信端末に表示又は出力させるコンテンツ情報と、前記複数種類のコンテンツファイルの識別子とを含み、前記案内ファイルは、前記複数種類のコンテンツファイルの識別子と放送対象地域の識別子とを関連付けした情報である関連付け情報を含み、前記複数の通信端末は、前記複数種類のコンテンツファイル及び前記案内ファイルを受信する放送受信部を備え、前記現在位置検出部により検出した現在位置に対応する前記放送対象地域の識別子と関連付けられた前記コンテンツファイルを前記関連付け情報を用いて特定し、特定した前記コンテンツファイルを前記放送から抽出し、抽出した前記コンテンツファイルに含まれるコンテンツ情報を表示又は出力することを特徴とする。
【発明の効果】
【００２３】
本発明によれば、放送波による広域の情報配信のメリットを活かしつつ、配信データを各移動通信端末側で自己位置や移動経路に対応させて取捨選択することで、各移動通信端末の位置状況に応じた情報を提供することが可能となる。
【図面の簡単な説明】
【００２４】
【図１】本発明の一実施形態に係るナビゲーションシステムの概略全体構成図である。
【図２】ナビゲーション装置として機能するクライアント端末が経路案内をする際のフローチャートである。
【図３】デジタル放送に伴う各部の処理を示すフローチャートである。
【図４】経路配信サーバで作成又は保存されたデータファイルが、デジタル放送局を介して前記クライアント端末に出力される様子を示す図である。
【図５】優先度とコンテンツ情報の内容との関係の一例を示す図である。
【図６】リストファイルの内容の第１例を示す図である。
【図７】前記デジタル放送局における処理を簡略的に示す図である。
【図８】前記優先度がレベル１（最重要）のデータファイルを前記デジタル放送局が送信する際の各データファイルの順番を簡略的に示す図である。
【図９】前記クライアント端末における処理のフローチャートである。
【図１０】前記クライアント端末における処理を簡略的に示す図である。
【図１１】リストファイルの内容の第２例を示す図である。
【発明を実施するための形態】
【００２５】
Ａ．一実施形態
１．全体的な構成の説明
［１−１．全体構成］
図１は、本発明の一実施形態に係るナビゲーションシステム１０（以下「システム１０」ともいう。）の概略全体構成図を示す。このシステム１０は、ナビゲーション装置として機能するクライアント端末１４（以下「ナビゲーション装置１４」ともいう。）を有する車両１２と、経路配信サーバ１６（以下「サーバ１６」ともいう。）と、気象情報サーバ１８（以下「サーバ１８」ともいう。）と、交通情報サーバ２０（以下「サーバ２０」ともいう。）と、デジタル放送局２２（以下「放送局２２」ともいう。）とを備える。
【００２６】
図１に示すように、経路配信サーバ１６とデジタル放送局２２は、同一の施設、すなわち、情報センタ２４内に配置される。後述するように、経路配信サーバ１６とデジタル放送局２２は異なる施設に配置されてもよい。また、気象情報サーバ１８は、気象関連施設２６内に配置される。交通情報サーバ２０は、交通関連施設２８内に配置される。
【００２７】
本実施形態では、各クライアント端末１４と経路配信サーバ１６との間で双方向通信が行われると共に、デジタル放送局２２から各ナビゲーション装置１４に対してデジタル放送が配信される。これにより、例えば、大規模な災害が発生し、双方向通信ができない状態であっても、災害時に必要な情報をクライアント端末１４に提供することが可能となる。後述するように、各クライアント端末１４は、経路配信サーバ１６との間の双方向通信する機能を有さずに、デジタル放送局２２からのデジタル放送を受信する機能のみを有してもよい。
【００２８】
［１−２．ナビゲーション装置１４（クライアント端末）］
ナビゲーション装置１４は、車両１２のユーザに対して目的地までの経路を案内する。後述するように、ナビゲーション装置１４は、車両１２以外の用途に用いてもよい。
【００２９】
ナビゲーション装置１４は、各種の態様を取ることができる。例えば、ナビゲーション装置１４は、車載型とすることができる。或いは、ナビゲーション装置１４は、スマートフォン等の携帯情報端末と車載ディスプレイとを組み合わせたものであってもよい。或いは、ナビゲーション装置１４は、ディスプレイを有する携帯情報端末であってもよい。
【００３０】
図１に示すように、ナビゲーション装置１４は、現在位置検出装置３０と、無線通信装置３２と、デジタル放送受信装置３４と、入出力装置３６と、演算装置３８と、表示装置４０と、記憶装置４２と、地図情報データベース４４（以下「地図情報ＤＢ４４」という。）とを有する。
【００３１】
現在位置検出装置３０は、ＧＰＳ（Global Positioning System）等を用いて車両１２の現在位置Ｐｃを検出する。
【００３２】
無線通信装置３２は、サーバ１６との間で無線通信を行うものである。但し、図１では、車両１２（無線通信装置３２）とサーバ１６とが直接的に無線通信を行うように示しているが、車両１２とサーバ１６との間に有線若しくは無線式の中継器又は通信ネットワークを介してもよい。
【００３３】
デジタル放送受信装置３４は、デジタル放送局２２からのデジタル放送を受信するものであり、図示しないアンテナ及びチューナを有する。デジタル放送受信装置３４で受信されたデジタル放送は、デコード等の処理を経た上で演算装置３８に出力される。デジタル放送受信装置３４のハードウェア構成としては、例えば、特許文献１に記載のものを用いることができる。
【００３４】
入出力装置３６は、目的地の入力、目的地までの経路の出力等、ナビゲーション装置１４における入出力をするためのものであり、タッチパネルやスピーカを含む。演算装置３８は、ナビゲーション装置１４の各部の動作制御や経路案内等のため、種々の演算を行う。表示装置４０は、経路案内時に地図情報等を表示するものであり、入出力装置３６を兼ねてもよい。記憶装置４２は、各種のプログラムやデータを記憶するものである。地図情報ＤＢ４４は、地図情報を蓄積したものであり、演算装置３８が経路案内を行う際に用いられる。
【００３５】
本実施形態において、ナビゲーション装置１４は、目的地までの経路をサーバ１６に探索させ、サーバ１６から通知された経路（以下「サーバ経路」ともいう。）に基づいて経路案内を行うことができる。これにより、より付加価値の高い経路案内が可能となる。この場合、ナビゲーション装置１４は、サーバ１６からサーバ経路を取得するまでは、ナビゲーション装置１４自体が探索した暫定的な経路（以下「暫定経路」）に基づいて経路案内を行ってもよい。なお、後述するように、ナビゲーション装置１４は、サーバ経路に基づく経路案内を行わず、暫定経路に基づく経路案内のみを行うものであってもよい。
【００３６】
ナビゲーション装置１４のハードウェア構成としては、特許文献１に記載のものを用いてもよい。
【００３７】
［１−３．経路配信サーバ１６］
経路配信サーバ１６は、ナビゲーション装置１４から通知された出発地、目的地及びサーバ探索条件に基づいてサーバ経路を探索し、ナビゲーション装置１４に通知する。
【００３８】
図１に示すように、サーバ１６は、通信装置５０と、入出力装置５２と、演算装置５４と、表示装置５６と、記憶装置５８と、地図情報データベース６０（以下「地図情報ＤＢ６０」という。）と、気象情報データベース６２（以下「気象情報ＤＢ６２」という。）と、交通情報データベース６４（以下「交通情報ＤＢ６４」という。）とを備える。
【００３９】
通信装置５０は、各ナビゲーション装置１４の無線通信装置３２との間で通信を行う。上記のように、図１では、車両１２（無線通信装置３２）とサーバ１６（通信装置５０）とが直接的に無線通信を行うように示しているが、車両１２とサーバ１６との間に有線若しくは無線式の中継器又は通信ネットワークを介してもよい。
【００４０】
入出力装置５２は、サーバ１６の管理者によるサーバ１６の操作等、サーバ１６における入出力をするためのものであり、キーボード又はマウスを含む。演算装置５４は、サーバ１６の各部の動作制御やサーバ経路の探索等のため、種々の演算を行う。表示装置５６は、各種の情報を表示するものであり、入出力装置５２を兼ねてもよい。記憶装置５８は、サーバ１６における各種のプログラムやデータを記憶する。
【００４１】
地図情報ＤＢ６０は、地図情報を蓄積したものであり、演算装置５４が案内経路を探索する際に用いられる。地図情報ＤＢ６０には、ナビゲーション装置１４の地図情報ＤＢ４４よりも多量且つ精細な地図情報が蓄積されている。
【００４２】
気象情報ＤＢ６２は、地図情報ＤＢ６０の地図情報と関連した気象情報Ｉｍｅｔを蓄積する。気象情報Ｉｍｅｔは、例えば、気象情報サーバ１８から取得したものが記憶される。気象情報Ｉｍｅｔとしては、例えば、地震情報、津波情報、気象情報、豪雨・浸水情報、路面凍結情報、台風情報等が含まれる。
【００４３】
交通情報ＤＢ６４は、地図情報ＤＢ６０の地図情報と関連した交通情報Ｉｔｆｃを蓄積する。交通情報Ｉｔｆｃは、例えば、交通情報サーバ２０から取得したものが記憶される。交通情報Ｉｔｆｃとしては、例えば、交通規制情報、通行実績情報、渋滞情報、工事情報等が含まれる。
【００４４】
［１−４．気象情報サーバ１８］
気象情報サーバ１８は、上記のような気象情報Ｉｍｅｔを経路配信サーバ１６に提供する。気象情報サーバ１８は、経路配信サーバ１６と同様、通信装置、入出力装置、演算装置、表示装置、記憶装置及び気象情報データベース（いずれも図示せず）を備える。
【００４５】
［１−５．交通情報サーバ２０］
交通情報サーバ２０は、上記のような交通情報Ｉｔｆｃを経路配信サーバ１６に提供する。交通情報サーバ２０は、経路配信サーバ１６と同様、通信装置、入出力装置、演算装置、表示装置、記憶装置及び交通情報データベース（いずれも図示せず）を備える。
【００４６】
［１−６．デジタル放送局２２］
デジタル放送局２２は、経路配信サーバ１６からの指令に基づいて特定の周波数帯域を用いてデジタル放送を配信する。ここでのデジタル放送の伝送方式は、時分割多元接続（ＴＤＭＡ：Time Division Multiple Access）、データ符号分割多元接続（ＣＤＭＡ：Code Division Multiple Access）等、各種の方式を用いることが可能である。
【００４７】
また、本実施形態では、デジタル放送局２２は、例えば、ＩＰデータキャスト（ＩＰＤＣ）を利用する。ＩＰＤＣでは、ＩＰプロトコルによってデータを一斉配信する。デジタル放送局２２は、その他の配信技術でデータを配信してもよい。なお、デジタル放送局２２からの放送波は暗号化してナビゲーション装置１４に伝送してもよい。この場合、ナビゲーション装置１４に暗号解読装置を設ける。
【００４８】
放送局２２のハードウェア構成としては、例えば、特許文献１に記載されているものを用いることができる。
【００４９】
２．経路案内時の処理
図２は、ナビゲーション装置１４が経路案内をする際のフローチャートである。ナビゲーション装置１４の経路案内に先立って、経路案内モード及びサーバ探索条件の選択を行っておく必要がある。
【００５０】
ここにいう経路案内モードには、例えば、目的地までの経路をサーバ１６に探索させ、サーバ１６から通知されたサーバ経路に基づいて経路案内を行う「経路配信モード」と、サーバ１６に経路探索をさせずに、ナビゲーション装置１４自体で経路探索をする「スタンドアロン経路案内モード」が含まれる。
【００５１】
また、サーバ探索条件としては、例えば、「最速」、「最速（一般道）」及び「省燃費ルート」が含まれる。
【００５２】
「最速」とは、最短時間で目的地に到着できる経路を探索する探索条件であり、当該経路には有料道路（高速道路を含む。）も含まれる。「最速（一般道）」とは、一般道（通行料金が無料の道路）のみを用いて最短時間で目的地に到着できる経路を探索する探索条件であり、当該経路には有料道路は含まれない。「省燃費ルート」とは、二酸化炭素の排出量（燃費）が最小となる経路を探索する探索条件である。
【００５３】
ステップＳ１において、ナビゲーション装置１４は、目的地の入力を受け付ける。
【００５４】
ステップＳ２において、ナビゲーション装置１４は、経路案内モードとして経路配信モードが選択されているかどうかを判定する。経路案内モードとして経路配信モードが選択されていない場合（Ｓ２：ＮＯ）、経路案内モードとしてスタンドアロン経路案内モード（「標準」と「一般道優先」のいずれか）が選択されている。そこで、ステップＳ３において、ナビゲーション装置１４は、スタンドアロン経路案内モードに移行し、サーバ１６へのサーバ経路の配信要求を行わずに今回の処理を終える。
【００５５】
経路案内モードとして経路配信モードが選択されている場合（Ｓ２：ＹＥＳ）、ステップＳ４において、ナビゲーション装置１４は、事前に選択されているサーバ探索条件に対応付けられた暫定探索条件（「標準」又は「一般道優先」）に基づいて、出発地から目的地までの暫定経路を計算する。
【００５６】
ステップＳ５において、ナビゲーション装置１４は、サーバ１６に対し、サーバ経路の配信要求を行う。その際、ナビゲーション装置１４からサーバ１６には、ナビゲーション装置１４（車両１２）の出発地、目的地及びサーバ探索条件が送信される。この配信要求を受けたサーバ１６は、ナビゲーション装置１４から通知された出発地、目的地及びサーバ探索条件に基づいてサーバ経路を探索し、探索したサーバ経路をナビゲーション装置１４に配信する。
【００５７】
ステップＳ６において、ナビゲーション装置１４は、暫定経路の案内を開始する。続くステップＳ７において、ナビゲーション装置１４は、サーバ１６からサーバ経路を受信したかどうかを確認する。サーバ経路を受信していない場合（Ｓ７：ＮＯ）、ステップＳ６の暫定経路の案内を継続する。サーバ経路を受信した場合（Ｓ７：ＹＥＳ）、ステップＳ８に進む。
【００５８】
ステップＳ８において、ナビゲーション装置１４は、受信した新たなサーバ経路を再現可能かどうかを判定する。受信した新たなサーバ経路が再現できる場合（Ｓ８：ＹＥＳ）、ステップＳ９において、ナビゲーション装置１４は、再現した新たなサーバ経路を、正式に案内する経路（案内経路）に設定する。一方、受信した新たなサーバ経路が再現できない場合（Ｓ８：ＮＯ）、ステップＳ１０において、ナビゲーション装置１４は、新たなサーバ経路の代わりに、現在の暫定経路を案内経路に設定する。すなわち、現在の暫定経路をそのまま用いる。
【００５９】
続くステップＳ１１において、ナビゲーション装置１４は、ステップＳ９又はステップＳ１０で設定した案内経路を通常の経路案内に用いる。
【００６０】
３．デジタル放送時の処理
［３−１．概要］
本実施形態では、放送局２２からクライアント端末１４へのデジタル放送を用いて各種の情報（コンテンツ情報）を車両１２のユーザに提供する。当該各種の情報としては、前述した気象情報Ｉｍｅｔ及び交通情報Ｉｔｆｃを含む。例えば、気象情報Ｉｍｅｔとしての津波情報をデジタル放送で提供する場合、強制的にクライアント端末１４の表示装置４０に津波警報を表示させる。加えて、津波警報の際、周辺領域の標高データを含んでもよい。これにより、ユーザは、津波を避けるための高台を容易に探すことが可能となる。併せて、音声出力をしてもよい。
【００６１】
図３は、デジタル放送に伴う各部の処理を示すフローチャートである。図４は、経路配信サーバ１６で作成又は保存されたデータファイルＦｄａｔａ（特にコンテンツファイルＦｃｎｔ）が、放送局２２を介してクライアント端末１４に出力される様子を示す図である。なお、図４において、「ｌｖ」は優先度のレベルを略したものである。
【００６２】
図３のステップＳ２１において、経路配信サーバ１６は、コンテンツファイルＦｃｎｔを作成する。コンテンツファイルＦｃｎｔの詳細は後述する。ステップＳ２２において、サーバ１６は、リストファイルＦｌｉｓｔを作成する。リストファイルＦｌｉｓｔは、クライアント端末１４がコンテンツファイルＦｃｎｔを受信する際に用いるデータを有している。リストファイルＦｌｉｓｔの詳細は後述する。ステップＳ２３において、サーバ１６は、コンテンツファイルＦｃｎｔ及びリストファイルＦｌｉｓｔを含むデータファイルＦｄａｔａを放送局２２に送信する。
【００６３】
ステップＳ２４において、放送局２２は、サーバ１６から送信されたデータファイルＦｄａｔａを受信する。ステップＳ２５において、放送局２２は、各コンテンツファイルＦｃｎｔに含まれる優先度情報Ｉｐｒを用いて（優先度Ｐに応じて）各コンテンツファイルＦｃｎｔを仕分けする。
【００６４】
ステップＳ２６において、放送局２２は、優先度Ｐ毎にコンテンツファイルＦｃｎｔをデジタル放送で配信する。大容量のデータをデジタル放送波で送る場合、そのまま送ると遅延又はコンテンツファイルＦｃｎｔの欠損が生じる可能性がある。そこで、本実施形態では、コンテンツファイルＦｃｎｔを複数の断片Ｃｎに分割して送信する。
【００６５】
しかし、クライアント端末１４側ではコンテンツファイルＦｃｎｔの全容がわからないため、どのデータを受信すれば完全なコンテンツファイルＦｃｎｔとなるか分からない。そこで、本実施形態では、リストファイルＦｌｉｓｔを用いて、クライアント端末１４においていずれのデータを受信すればよいかを示す。すなわち、コンテンツファイルＦｃｎｔの断片Ｃｎに加えて、リストファイルＦｌｉｓｔを配信する。本実施形態では、リストファイルＦｌｉｓｔは複数の断片に分けられず、単一のファイルとして送信される。
【００６６】
ステップＳ２７において、クライアント端末１４は、放送局２２からデータファイルＦｄａｔａ（コンテンツファイルＦｃｎｔ及びリストファイルＦｌｉｓｔ）を受信する。当該受信は、クライアント端末１４の図示しないチューナで選択されているチャンネル又は選択されていないチャンネルのいずれを介して行ってもよい。選択されていないチャンネルを用いる場合、演算装置３８（図１）が所定の周期で当該チャンネルの周波数での受信をするようデジタル放送受信装置３４を制御する。また、この際、各コンテンツファイルＦｃｎｔを抽出するか否かを、リストファイルＦｌｉｓｔの内容に基づいて判断する（詳細は後述する。）。
【００６７】
ステップＳ２８において、クライアント端末１４は、コンテンツファイルＦｃｎｔに含まれる優先度情報Ｉｐｒに応じてコンテンツ情報Ｉｃｎｔを表示又は出力する。
【００６８】
［３−２．コンテンツファイルＦｃｎｔ］
（３−２−１．コンテンツファイルＦｃｎｔの概要）
コンテンツファイルＦｃｎｔは、各車両１２のナビゲーション装置１４（クライアント端末１４）に表示又は出力させるコンテンツ情報Ｉｃｎｔと、ファイル名Ｎｆと、カテゴリ情報Ｉｃｔｇと、優先度情報Ｉｐｒと、タイムスタンプＴＳ（作成日時）とを含む。
【００６９】
（３−２−２．コンテンツ情報Ｉｃｎｔ）
コンテンツ情報Ｉｃｎｔとしては、例えば、気象情報サーバ１８から提供された気象情報Ｉｍｅｔ及び交通情報サーバ２０から提供された交通情報Ｉｔｆｃが含まれる。コンテンツ情報Ｉｃｎｔは、クライアント端末１４に表示又は出力される単位として処理される。換言すると、クライアント端末１４は、１つのコンテンツファイルＦｃｎｔを受信した段階で、コンテンツ情報Ｉｃｎｔを表示又は出力可能となる。
【００７０】
（３−２−３．ファイル名Ｎｆ（コンテンツファイル識別子））
ファイル名Ｎｆは、コンテンツファイルＦｃｎｔの識別子として機能する。各断片Ｃｎのファイル名Ｎｆは、コンテンツファイルＦｃｎｔ毎に各断片Ｃｎで共通する部分と、断片Ｃｎ毎に異なる部分とがある。
【００７１】
（３−２−４．カテゴリ情報Ｉｃｔｇ）
カテゴリ情報Ｉｃｔｇは、コンテンツ情報Ｉｃｎｔの内容毎に区分されたカテゴリを示す情報である。当該カテゴリには、例えば、地震情報、津波情報、通行実績情報、交通規制情報等が含まれる（図６参照）。
【００７２】
（３−２−５．優先度情報Ｉｐｒ）
優先度情報Ｉｐｒは、コンテンツ情報Ｉｃｎｔの表示又は出力に関する優先度Ｐを示す。
【００７３】
図５は、優先度Ｐとコンテンツ情報Ｉｃｎｔの内容との関係の一例を示す図である。図５におけるレベル１（最優先）は、緊急警報放送（ＥＷＳ: Emergency Warning System）に関わる情報である。従って、優先度Ｐがレベル１のコンテンツ情報Ｉｃｎｔについては、スリープ状態（待機状態）にあるテレビ受信機又はラジオ受信機（本実施形態では、ナビゲーション装置１４の表示装置４０）のスイッチを自動的にオンにして放送を行う。
【００７４】
レベル１のコンテンツ情報Ｉｃｎｔとしては、例えば、地震情報、津波情報、災害地点情報、交通規制情報（レベル１）、通行実績情報（レベル１）及び緊急情報が含まれる。なお、各コンテンツ情報Ｉｃｎｔにおける「レベル」とは、優先度Ｐと同様、優先度又は重要度を示す。
【００７５】
本実施形態の津波情報には、標高データが含まれる。クライアント端末１４の表示装置４０に標高データを表示することにより、避難場所（より標高の高い場所）を通知することが可能となる。
【００７６】
災害地点情報とは、災害時に避難を推奨する場所又は災害後に役立つ場所の位置等に関する情報である。交通規制情報とは、交通規制（通行止め、速度制限等）に関する情報である。通行実績情報とは、車両１２が通行した道路を示す情報であり、車両１２からサーバ１６へと位置情報（現在位置Ｐｃ）を送信することによりサーバ１６が集計して取得する。緊急情報とは、上記の各情報以外に緊急を要する内容に関する情報である。
【００７７】
レベル２（優先度・高）は、レベル１以外の災害情報である。このため、優先度Ｐがレベル２のコンテンツ情報Ｉｃｎｔについては、待機状態にある表示装置４０のスイッチを自動的にオンする必要はない。換言すると、レベル２のコンテンツ情報Ｉｃｎｔをどのように扱うかは、クライアント端末１４で実行中のプログラム側で決定することが可能である。
【００７８】
レベル２のコンテンツ情報Ｉｃｎｔとしては、例えば、気象情報、豪雨・浸水情報、路面凍結情報、台風情報、交通規制情報（レベル２）及び通行実績情報（レベル２）が含まれる。ここにいう気象情報には、例えば、降雨・降雪情報が含まれる。
【００７９】
レベル３（優先度・低）は、災害時以外の情報である。このため、優先度Ｐがレベル３のコンテンツ情報Ｉｃｎｔについては、待機状態にある表示装置４０のスイッチを自動的にオンする必要はない。換言すると、レベル３のコンテンツ情報Ｉｃｎｔをどのように扱うかは、クライアント端末１４で実行中のプログラム側で決定することが可能である。その際、レベル２、３で取扱いに区別をつけてもよい。
【００８０】
レベル１〜３にはそれぞれ識別子（優先度識別子ＩＤｐ）として「００」、「０１」、「０２」が付与される。従って、クライアント端末１４は、優先度識別子ＩＤｐに基づいて優先度Ｐを確認することができる。
【００８１】
なお、ここでは、優先度識別子ＩＤｐをコンテンツファイルＦｃｎｔに含ませているが、代わりにリストファイルＦｌｉｓｔに含ませてもよい。
【００８２】
（３−２−６．タイムスタンプＴＳ（更新情報））
タイムスタンプＴＳは、コンテンツファイルＦｃｎｔが作成された日時を示す。本実施形態におけるタイムスタンプＴＳは、クライアント端末１４において、コンテンツファイルＦｃｎｔを更新するか否かを判断する際の情報（更新情報）として用いられる。タイムスタンプＴＳとしては、例えば、「YYYYMMDD-hhmmss」(年月日時分秒)のように示すことができる。
【００８３】
なお、タイムスタンプＴＳ以外にも、例えば、ファイル名Ｎｆにバージョン情報を含ませる場合又はファイル名Ｎｆとは別にバージョン情報をコンテンツファイルＦｃｎｔに含ませる場合、当該バージョン情報を更新情報としても用いることもできる。
【００８４】
［３−３．リストファイルＦｌｉｓｔ］
上記のように、リストファイルＦｌｉｓｔは、クライアント端末１４がコンテンツファイルＦｃｎｔを受信する際に用いるデータを有している。リストファイルＦｌｉｓｔは、コンテンツファイルＦｃｎｔの識別子（コンテンツファイル識別子）としてのファイル名Ｎｆと、放送対象地域Ｚｂｒｄの識別子ＩＤｂｒｄとを関連付けした情報（関連付け情報Ｉｒ）を含む。
【００８５】
放送対象地域Ｚｂｒｄの識別子ＩＤｂｒｄ（以下「放送対象地域識別子ＩＤｂｒｄ」ともいう。）は、放送対象地域Ｚｂｒｄを識別するために用いられる記号（例えば、数値）である。ここにいう放送対象地域Ｚｂｒｄとは、コンテンツファイルＦｃｎｔの受信地域を特定するために、地図情報を所定の規則で区切った領域である。ここにいう所定の規則とは、例えば、二次メッシュ状（碁盤状）（図１０参照）、ハニカム状、正三角形状（正三角形を交互に上下を反転させて組み合わせていった形状）を用いることが可能である。
【００８６】
図６は、リストファイルＦｌｉｓｔの内容の第１例を示す図である。図６に示すように、リストファイルＦｌｉｓｔでは、放送対象地域識別子ＩＤｂｒｄ毎に各種のコンテンツファイルＦｃｎｔのファイル名Ｎｆ（例えば、「エリアＡ−地震．ｂｉｎ」、「５１３３０４−通行．ｂｉｎ」）がコンテンツファイル識別子として記憶されている。なお、ここにいう「.ｂｉｎ」は、バイナリコードを示す拡張子である。
【００８７】
また、断片Ｃｎのファイル名Ｎｆの場合、例えば、「エリアＡ−地震−１．ｂｉｎ」、「エリアＡ−地震−２．ｂｉｎ」のように、「−１」や「−２」によりいくつめの断片Ｃｎであるかを示してもよい。さらに、図６には示されていないが、本実施形態のリストファイルＦｌｉｓｔには、コンテンツファイルＦｃｎｔの断片Ｃｎの数が含まれている。
【００８８】
なお、図６では、識別子ＩＤｂｒｄ「５１３３０４」に対応して地震情報に関する「エリアＡ−地震．ｂｉｎ」と、津波情報に関する「エリアＸ−津波．ｂｉｎ」が対応する。このように識別子ＩＤｂｒｄが「５１３３０４」で同じであっても、異なるエリア（エリアＡ、Ｘ）を対応させることも可能である。
【００８９】
後述するように、クライアント端末１４では、現在位置Ｐｃを含む現在地域Ｚｖの識別子ＩＤｖ及びその周辺地域Ｚｓの識別子ＩＤｓを特定する。地域Ｚｖ、Ｚｓは、放送対象地域Ｚｂｒｄと同じ大きさに設定される。そして、クライアント端末１４は、特定した識別子ＩＤｖ、ＩＤｓと一致する放送対象地域識別子ＩＤｂｒｄに関連付けられたコンテンツファイルＦｃｎｔのファイル名Ｎｆを特定し、特定したファイル名ＮｆのコンテンツファイルＦｃｎｔをデジタル放送から抽出する。
【００９０】
図６では６桁の数字（例えば、「５１３３０４」）が放送対象地域Ｚｂｒｄの識別子ＩＤｂｒｄである。また、放送対象地域Ｚｂｒｄを複数含む領域を「エリア」と記載している。基本的には、コンテンツファイルＦｃｎｔには、識別子ＩＤｂｒｄが付与されるが、例外的に「エリア名」も付与される。なお、リストファイルＦｌｉｓｔの作成は、コンテンツファイルＦｃｎｔが作成される度に更新される。
【００９１】
［３−４．デジタル放送局２２における処理］
図７は、デジタル放送局２２における処理を簡略的に示す図である。基本的に、図７に示す各処理は、左側から右側に進む。図７のステップＳ３１において、放送局２２は、サーバ１６から受信したコンテンツファイルＦｃｎｔを優先度Ｐに応じて仕分けする。すなわち、重要度がレベル１（最重要）のものからなるグループと、レベル２（優先度：高）のものからなるグループと、レベル３（優先度：低）のものからなるグループに分ける（図４も参照）。なお、リストファイルＦｌｉｓｔは、レベル１（最重要）として仕分けされる。
【００９２】
ステップＳ３２において、放送局２２は、コンテンツファイルＦｃｎｔ及びリストファイルＦｌｉｓｔそれぞれをデータ圧縮する。例えば、それぞれのファイルをｚｉｐファイルとして圧縮する。この際、圧縮前後及び将来的な解凍前後のファイル名Ｎｆが変わらないように、拡張子以外は同じにすることが好ましい。
【００９３】
ステップＳ３３において、放送局２２は、各コンテンツファイルＦｃｎｔを分割して断片Ｃｎにする。この際、各断片Ｃｎのファイル名Ｎｆは、コンテンツファイルＦｃｎｔ毎に断片Ｃｎで共通する部分と、断片Ｃｎ毎に異なる部分を持たせる。本実施形態ではリストファイルＦｌｉｓｔを分割しない。
【００９４】
なお、ここでの分割又は断片化は、サーバ１６から放送局２２への通信及び放送局２２からクライアント端末１４へのデジタル放送の配信のための分割とは異なることに留意されたい。例えば、伝送技術の１つである非同期転送モード（ＡＴＭ：asynchronous transfer mode）では、転送データが固定長のセルに分割されるが、ステップＳ３３で行う分割又は断片化は、ファイル名Ｎｆを有する断片Ｃｎの単位で行われるものであり、ＡＴＭのような伝送技術とは異なる。換言すると、本実施形態の断片Ｃｎは、リストファイルＦｌｉｓｔを用いてコンテンツファイルＦｃｎｔに復元される。
【００９５】
ステップＳ３４において、放送局２２は、分割された各コンテンツファイルＦｃｎｔ及びリストファイルＦｌｉｓｔをバッファする。
【００９６】
図８は、優先度Ｐがレベル１（最重要）のデータファイルＦｄａｔａを放送局２２が送信する際の各データファイルＦｄａｔａの順番を簡略的に示す図である。上記のように、ステップＳ３３において、各コンテンツファイルＦｃｎｔは、複数の断片Ｃｎに分割されているが、理解の容易化のため、図８では、各コンテンツファイルＦｃｎｔを１まとめにして（断片Ｃｎを示さないで）表示していることに留意されたい。また、図８では、ステップＳ３４でバッファされているレベル１の全てのコンテンツファイルＦｃｎｔを１度配信する場合（すなわち、レベル１全体での配信周期）を示している。
【００９７】
放送局２２は、図８に示す順番でレベル１のデータファイルＦｄａｔａを所定期間繰り返し送信する。ここにいう「所定期間」とは、各データファイルＦｄａｔａに設定された放送期間（放送回数を含む。）を終了するまで又は同一のファイル名のデータファイルＦｄａｔａが更新されるまでを意味する。この際の放送周期は、例えば、１〜１０分間隔のいずれかとすることができる。
【００９８】
図８に示すように、リストファイルＦｌｉｓｔは、１つの配信周期において同一内容のものが複数回配信される。換言すると、リストファイルＦｌｉｓｔ自体の配信周期（リストファイル配信周期）は、各コンテンツファイルＦｃｎｔの配信周期（コンテンツファイル配信周期＝レベル１全体での配信周期）よりも短く設定される。
【００９９】
これにより、１つのコンテンツファイル配信周期の途中であってもリストファイルＦｌｉｓｔを取得した時点で、クライアント端末１４の現在位置Ｐｃに関連する断片Ｃｎの取得を開始することが可能になる。従って、断片Ｃｎの取得の開始タイミングを早めることが可能となる。
【０１００】
なお、上記のように、リストファイル配信周期をコンテンツファイル配信周期よりも短くするために、放送局２２は、例えば、所定数のコンテンツファイルＦｃｎｔ毎にリストファイルＦｌｉｓｔをコンテンツファイルＦｃｎｔの列に挿入する。
【０１０１】
図７のステップＳ３５において、放送局２２は、コンテンツファイルＦｃｎｔの断片Ｃｎ及びリストファイルＦｌｉｓｔをデジタル放送で配信する。
【０１０２】
図７等に示すように、本実施形態では、優先度Ｐに応じて放送帯域Ｂ１〜Ｂ３を区別する。例えば、全ての放送帯域Ｂ１〜Ｂ３の合計を１００％とするとき、レベル１（最重要）の放送帯域Ｂ１にはそのうちの８０％を割り当て、レベル２（優先度：高）の放送帯域Ｂ２には１５％を割り当て、レベル３（優先度：低）の放送帯域Ｂ３には５％を割り当てる。
【０１０３】
また、割当て比率は、優先度Ｐのみならず、優先度Ｐ毎のコンテンツファイルＦｃｎｔの数（断片Ｃｎの数を含む。）、データ量及び配信回数（又はタイムスタンプＴＳ）に基づいて変化させてもよい。例えば、コンテンツファイルＦｃｎｔの数又はデータ量が少ないレベルの帯域Ｂ１〜Ｂ３を狭くし、コンテンツファイルＦｃｎｔの数又はデータ量が多いレベルの帯域Ｂ１〜Ｂ３を広くすることができる。或いは、配信回数（平均値）が多い又はタイムスタンプＴＳの値（平均値）が旧いレベルの帯域Ｂ１〜Ｂ３を狭くし、配信回数が少ない又はタイムスタンプＴＳの値が新しいレベルの帯域Ｂ１〜Ｂ３を広くしてもよい。
【０１０４】
本実施形態では、コンテンツファイルＦｃｎｔを繰り返し配信することができる。例えば、津波警報であれば、情報が更新されるまで所定の放送周期（例えば、１分おき）に同じ情報が繰り返し配信される。このため、配信したコンテンツファイルＦｃｎｔの断片Ｃｎは再びバッファされる（Ｓ３４）。繰り返し配信される回数は、サーバ１６又は放送局２２において設定する。
【０１０５】
なお、以上に上げた放送局２２の処理の一部又は全部（Ｓ３５の配信を除く。）は、サーバ１６で行ってもよい。
【０１０６】
［３−５．クライアント端末１４における処理］
図９は、クライアント端末１４における処理のフローチャートである。図１０は、クライアント端末１４における処理を簡略的に示す図である。
【０１０７】
図９のステップＳ４１において、クライアント端末１４は、放送局２２から配信されたデータファイルＦｄａｔａ、すなわち、コンテンツファイルＦｃｎｔの断片Ｃｎ及びリストファイルＦｌｉｓｔを受信する。
【０１０８】
ステップＳ４２において、クライアント端末１４は、受信したデータファイルＦｄａｔａをそれぞれ解凍する。コンテンツファイルＦｃｎｔについては、全ての断片Ｃｎが揃ってから解凍する。さらに、断片Ｃｎの一部が欠如し、コンテンツファイルＦｃｎｔが完成しない場合、抽出した断片Ｃｎは、所定期間保持する。当該所定期間内に全ての断片Ｃｎが揃えば、後述する処理に用い、当該所定期間が経過しても一部が欠落していれば、クライアント端末１４は、当該断片Ｃｎを消去する。ここにいう所定期間としては、複数のコンテンツファイル配信周期（＝レベル１全体での配信周期）とすることができる。
【０１０９】
なお、解凍前の断片Ｃｎのファイル名ＮｆがリストファイルＦｌｉｓｔにより断片Ｃｎ毎に特定可能であり且つ解凍前にタイムスタンプＴＳが確認可能である場合、ファイル名Ｎｆ及びタイムスタンプＴＳの値が同一の断片Ｃｎについては解凍前に消去してもよい。
【０１１０】
ステップＳ４３において、クライアント端末１４は、現在位置検出装置３０を用いて現在位置Ｐｃを検出する。ステップＳ４４において、クライアント端末１４は、現在位置Ｐｃが属する地域（現在地域Ｚｖ）の識別子（現在地域識別子ＩＤｖ）及び現在地域Ｚｖに隣接する１つ又は複数の周辺地域Ｚｓの識別子（周辺地域識別子ＩＤｓ）を特定する。
【０１１１】
現在地域識別子ＩＤｖの特定のため、クライアント端末１４の地図情報ＤＢ４４には、位置情報（現在位置Ｐｃ）と識別子ＩＤｖとを関連付けたマップを予め記憶させておく。このため、クライアント端末１４は、現在位置Ｐｃに応じて識別子ＩＤｖを特定し、また、識別子ＩＤｖ及び車両１２の予定経路に基づいて識別子ＩＤｓを特定することができる。
【０１１２】
例えば、現在地域Ｚｖが、図１０において「５０３０６６」で示される地域である場合、例えば、現在地域Ｚｖ１に隣接する８つの周辺地域Ｚｓ（図１０の「５０３０５５」〜「５０３０５７」、「５０３０６５」、「５０３０６７」、「５０３０７５」〜「５０３０７７」で示される地域）を周辺地域Ｚｓとする。或いは、車両１２の進行方向に向かって前方の１つ又は３つの領域を周辺地域Ｚｓとしてもよい。或いは、車両１２の進行方向に向かって前方の３つ及び左右の２つの領域（計５つの領域）を周辺地域Ｚｓとすることもできる。
【０１１３】
ステップＳ４５において、ステップＳ４４で特定した現在地域識別子ＩＤｖ及び周辺地域識別子ＩＤｓについてリストファイルＦｌｉｓｔを参照し、クライアント端末１４は、各識別子ＩＤｖ、ＩＤｓと一致する放送対象地域識別子ＩＤｂｒｄに関連付けられたファイル名Ｎｆを特定する。
【０１１４】
図１１には、リストファイルＦｌｉｓｔの内容の第２例が示されている。例えば、現在地域識別子ＩＤｖが「５２３８５７」である場合、クライアント端末１４は、当該識別子ＩＤｖと一致する放送対象地域識別子ＩＤｂｒｄに関連付けられたファイル名Ｎｆ、すなわち、図１１の２行目の「２０１２年−台風１０号．ｂｉｎ」と、３行目の「５２３８５７−規制．ｂｉｎ」と、６行目の「５２３８５７−通行．ｂｉｎ」を特定する。
【０１１５】
なお、図１１からわかるように、コンテンツファイルＦｃｎｔに含まれるコンテンツ情報Ｉｃｎｔが放送対象地域Ｚｂｒｄ単位で明確に分割できない場合、１つのコンテンツファイルＦｃｎｔに対して複数の識別子ＩＤｂｒｄが割り当てられる。
【０１１６】
図９のステップＳ４６において、クライアント端末１４は、ステップＳ４５で特定したファイル名Ｎｆに基づいてコンテンツファイルＦｃｎｔを抽出する。すなわち、クライアント端末１４は、ステップＳ４２で解凍したコンテンツファイルＦｃｎｔのうちファイル名Ｎｆが、ステップＳ４５で特定したファイル名Ｎｆと一致するものを抽出する。
【０１１７】
但し、クライアント端末１４は、既に同一のファイル名ＮｆのコンテンツファイルＦｃｎｔを抽出済であるか否かを判定し、抽出済である場合、タイムスタンプＴＳ（作成日時）を比較する。そして、タイムスタンプＴＳが同一である場合、クライアント端末１４は、新たなコンテンツファイルＦｃｎｔを抽出しない。一方、タイムスタンプＴＳが新しい場合、クライアント端末１４は、新たなコンテンツファイルＦｃｎｔを抽出する。上記のように、場合によっては、当該処理を解凍前（Ｓ４２）に行うことも可能である。
【０１１８】
ステップＳ４７において、クライアント端末１４は、ステップＳ４６で抽出したコンテンツファイルＦｃｎｔを優先度Ｐに応じて表示又は出力する。例えば、優先度Ｐがレベル１（最優先）である場合、表示装置４０が待機状態であってもスイッチを自動的にオンにして放送を行う。
【０１１９】
この際、現在地域Ｚｖ及び周辺地域Ｚｓの情報（地図メッシュ情報）を表示装置４０に表示させる。加えて、降雨・降雪情報、津波情報を地図上で描画させる。上記のように津波警報の場合、地図に標高データを持たせ、災害時には適切な情報を表示させる。さらに、災害に関わる地点情報又は交通規制（通行止め等）を位置情報として地図画面に表示させてもよい。さらにまた、通行実績情報を地図画面に表示することもできる。
【０１２０】
また、優先度Ｐがレベル１（最優先）である場合、クライアント端末１４は、タイムスタンプＴＳが更新される毎に、その時の経路案内画面に、当該コンテンツファイルＦｃｎｔに含まれるコンテンツ情報Ｉｃｎｔを１分間割り込み表示する。最優先のコンテンツ情報Ｉｃｎｔを表示又は出力している際、クライアント端末１４は、図示しないオーディオ機器又はテレビの画面に移行させる操作を禁止する。
【０１２１】
また、図１１の例であれば、２行目の「２０１２年−台風１０号．ｂｉｎ」を抽出した時点で当該コンテンツファイルＦｃｎｔに含まれるコンテンツ情報Ｉｃｎｔを表示又は出力する。その後、図１１の３行目の「５２３８５７−規制．ｂｉｎ」を抽出すると、その時点で当該コンテンツファイルＦｃｎｔに含まれるコンテンツ情報Ｉｃｎｔを表示又は出力する。同様に、図１１の６行目の「５２３８５７−通行．ｂｉｎ」を抽出すると、その時点で当該コンテンツファイルＦｃｎｔに含まれるコンテンツ情報Ｉｃｎｔを表示又は出力する。
【０１２２】
なお、図４のクライアント端末１４内において、各断片Ｃｎの上に表示されている「１００％」、「５０％」、「７５％」の数値は、コンテンツファイルＦｃｎｔ全体における受信割合を示している。レベル１の断片Ｃｎは、１００％取得されているため、表示装置４０に表示又は出力される。
【０１２３】
また、複数の優先度ＰのコンテンツファイルＦｃｎｔを同時に受信した場合、クライアント端末１４は、優先度Ｐの高いグループのコンテンツファイルＦｃｎｔ１つのみを使用してもよい。
【０１２４】
４．本実施形態の効果
以上説明したように、本実施形態によれば、複数のクライアント端末１４（移動通信端末）では、デジタル放送に含まれるリストファイルＦｌｉｓｔ（案内ファイル）に基づいて抽出すべきコンテンツファイルＦｃｎｔを特定できる。このため、各クライアント端末１４において、現在位置Ｐｃに対応するコンテンツ情報Ｉｃｎｔを簡易に取得して表示又は出力することが可能となる。
【０１２５】
また、各クライアント端末１４ではリストファイルＦｌｉｓｔを参照した上、コンテンツファイルＦｃｎｔのファイル名Ｎｆ（コンテンツファイル識別子）を監視することで抽出すべきコンテンツファイルＦｃｎｔを特定する。このため、コンテンツファイルＦｃｎｔ中のコンテンツ情報Ｉｃｎｔの内容を確認する必要がなくなる。従って、各クライアント端末１４は、現在位置Ｐｃに関連するコンテンツファイルＦｃｎｔを効率よく取捨選択することが可能となる。
【０１２６】
本実施形態において、コンテンツファイルＦｃｎｔはそれぞれ複数の断片Ｃｎに分割され（図７のＳ３３）、デジタル放送局２２は、各コンテンツファイルＦｃｎｔを１度配信する配信周期（コンテンツファイル配信周期＝レベル１全体での配信周期）の間に同一内容のリストファイルＦｌｉｓｔを複数回配信する（図８参照）。
【０１２７】
これにより、コンテンツファイル配信周期の途中であっても、各クライアント端末１４は、リストファイルＦｌｉｓｔを取得した時点で、現在位置Ｐｃに関連する断片Ｃｎの取得を開始することが可能になる。従って、断片Ｃｎの取得の開始タイミングを早めることが可能となる。
【０１２８】
本実施形態において、リストファイルＦｌｉｓｔ（案内ファイル）に含まれる関連付け情報Ｉｒは、ファイル名Ｎｆ（コンテンツファイル識別子）及び放送対象地域識別子ＩＤｂｒｄに関連付けたタイムスタンプＴＳ（更新情報）を含み、クライアント端末１４は、あるコンテンツファイルＦｃｎｔを受信した後、ファイル名Ｎｆが同一である新たなコンテンツファイルＦｃｎｔを受信した場合、タイムスタンプＴＳが新しければ、新たなコンテンツファイルＦｃｎｔに含まれるコンテンツ情報Ｉｃｎｔを表示又は出力し、タイムスタンプＴＳが同一であれば、新たなコンテンツファイルＦｃｎｔに含まれるコンテンツ情報Ｉｃｎｔを表示又は出力しない（図９のＳ４６、Ｓ４７）。これにより、全く同一のコンテンツ情報Ｉｃｎｔを含むコンテンツファイルＦｃｎｔを処理する負荷を軽減することが可能となる。
【０１２９】
本実施形態において、リストファイルＦｌｉｓｔは、さらに、断片Ｃｎの数に関する情報を含み、クライアント端末１４は、抽出対象のコンテンツファイルＦｃｎｔの断片Ｃｎの数がそろわない場合、次回のコンテンツファイル配信周期まで受信済の断片Ｃｎを記憶し続ける。これにより、断片Ｃｎの一部が取得できない場合、受信済の断片Ｃｎを維持して次の配信周期に備えることが可能となる。
【０１３０】
本実施形態において、複数種類のコンテンツファイルＦｃｎｔは、コンテンツ情報Ｉｃｎｔの内容に対応したカテゴリ毎に区分され、コンテンツファイルＦｃｎｔ又はリストファイルＦｌｉｓｔ（案内ファイル）は、コンテンツ情報Ｉｃｎｔの表示又は出力に関する優先度Ｐをカテゴリ毎に規定した優先度情報Ｉｐｒを含み、デジタル放送局２２は、優先度Ｐに応じて放送帯域Ｂ１〜Ｂ３又は配信周期を設定してコンテンツファイルＦｃｎｔを放送し、クライアント端末１４は、優先度情報Ｉｐｒに応じてコンテンツ情報Ｉｃｎｔを表示又は出力する（図４及び図８参照）。
【０１３１】
これにより、優先度Ｐに応じた放送帯域Ｂ１〜Ｂ３又は配信周期によりコンテンツファイルＦｃｎｔを放送するため、優先度Ｐに応じて（例えば、津波等の災害情報であれば優先して）コンテンツ情報Ｉｃｎｔをクライアント端末１４に届けることが可能となる。また、クライアント端末１４では、優先度情報Ｉｐｒに応じてコンテンツ情報Ｉｃｎｔを表示又は出力するため、優先度Ｐに応じた適切な表示又は出力が可能となる。
【０１３２】
Ｂ．変形例
なお、本発明は、上記実施形態に限らず、本明細書の記載内容に基づき、種々の構成を採り得ることはもちろんである。例えば、以下の構成を採用することができる。
【０１３３】
１．車両１２（適用対象）
上記実施形態では、クライアント端末１４を車両１２用に用いたが、これに限らず、別の用途に適用することができる。例えば、航空機、船舶等の移動体にクライアント端末１４を適用してもよい。或いは、携帯電話等の携帯通信手段としてクライアント端末１４を用いることもできる。
【０１３４】
２．デジタル放送局２２
上記実施形態では、放送局２２の制御を経路配信サーバ１６が行ったが（図１参照）、例えば、双方向通信による経路配信と放送による情報提供を区別して考えれば、放送局２２は、経路配信サーバ１６から独立して放送を行ってもよい。この場合、経路配信サーバ１６とは別のサーバ（経路案内を行わないサーバ）を設け、放送局２２を管理してもよい。
【０１３５】
３．放送
［３−１．放送全般］
上記実施形態では、放送局２２からの放送をデジタル放送としたが、例えば、単一方向の通信という点に着目すれば、アナログ放送であってもよい。
【０１３６】
上記実施形態では、コンテンツファイルＦｃｎｔを断片Ｃｎに分割して配信したが、その他の特徴（例えば、優先度Ｐに応じてコンテンツファイルＦｃｎｔを仕分けする点）に着目すれば、コンテンツファイルＦｃｎｔを分割せずに配信してもよい。
【０１３７】
［３−２．リストファイルＦｌｉｓｔ（案内ファイル）］
上記実施形態では、リストファイルＦｌｉｓｔは、断片Ｃｎの数に関する情報を含んだが、その他の特徴（例えば、優先度Ｐに応じてコンテンツファイルＦｃｎｔを仕分けする点）に着目すれば、断片Ｃｎの数に関する情報を含まなくてもよい。
【０１３８】
［３−３．放送対象地域識別子ＩＤｂｒｄ］
上記実施形態では、放送対象地域識別子ＩＤｂｒｄをリストファイルＦｌｉｓｔに含ませたが、例えば、識別子ＩＤｂｒｄの配信に着目すれば、放送対象地域識別子ＩＤｂｒｄをリストファイルＦｌｉｓｔに含ませないことも可能である。例えば、識別子ＩＤｂｒｄをコンテンツファイルＦｃｎｔに含ませてもよい。
【０１３９】
［３−４．優先度情報Ｉｐｒ］
上記実施形態では、優先度Ｐを３段階（レベル１〜３）に分けたが、２段階又は４段階以上に分けてもよい。
【０１４０】
上記実施形態では、優先度情報Ｉｐｒを用いたが、例えば、リストファイルＦｌｉｓｔの利用に着目すれば、優先度情報Ｉｐｒを用いないことも可能である。
【０１４１】
４．クライアント端末１４
図１０の例では、現在位置Ｐｃが属する現在地域Ｚｖと、現在地域Ｚｖに隣接する周辺地域ＺｓとについてコンテンツファイルＦｃｎｔを取得した。しかしながら、その他の特徴（例えば、優先度Ｐを用いてコンテンツファイルＦｃｎｔを仕分けする点）に着目すれば、これに限らない。例えば、現在地域Ｚｖ又は周辺地域ＺｓのみについてコンテンツファイルＦｃｎｔを取得してもよい。
【０１４２】
或いは、現在地域Ｚｖ及び周辺地域Ｚｓの少なくとも一方に加え又はこれに代えて、サーバ１６から取得した案内経路又はナビゲーション装置１４で算出した案内経路が属する全ての又は一部の地域（移動予定地域Ｚｄ）についてコンテンツファイルＦｃｎｔを取得してもよい。これにより、現在位置Ｐｃのみならず又は現在位置Ｐｃに代えて、目的地までの経路に関するコンテンツ情報Ｉｃｎｔが提供される。このため、ユーザは、今後の経路の状況を的確に把握することが可能となる。
【０１４３】
上記実施形態の各クライアント端末１４は、経路配信サーバ１６との間の双方向通信する機能（双方向通信機能）と、デジタル放送局２２からのデジタル放送を受信する機能（デジタル放送受信機能）の両方を有していた。しかしながら、例えば、デジタル放送受信機能に着目すれば、各クライアント端末１４は、双方向通信機能を有さなくてもよい。この場合、各クライアント端末１４は、サーバ経路に基づく経路案内を行わずに暫定経路に基づく経路案内のみを行うものであってもよい。或いは、各クライアント端末１４は、現在位置検出機能を有するが、経路案内を行わず、現在位置又はその周辺位置に対応する放送を受信するものであってもよい。
【符号の説明】
【０１４４】
１０…ナビゲーションシステム
１４…ナビゲーション装置（クライアント端末、通信端末）
１６…経路配信サーバ（サーバ）        ２２…デジタル放送局
３０…現在位置検出装置（現在位置検出部）
３２…無線通信装置（無線通信部）
３４…デジタル放送受信装置（デジタル放送受信部、放送受信部）
３６…入出力装置（目的地入力部）      ４０…表示装置（経路案内部）
Ｃｎ…コンテンツファイルの断片        Ｆｃｎｔ…コンテンツファイル
Ｆｄａｔａ…データファイル
Ｆｌｉｓｔ…リストファイル（案内ファイル）
Ｉｃｎｔ…コンテンツ情報
ＩＤｂｒｄ…放送対象地域識別子        Ｉｐｒ…優先度情報
Ｐｃ…現在位置                        ＴＳ…タイムスタンプ
Ｚｂｒｄ…放送対象地域
【図１】
2014167409.tif 000003
【図２】
2014167409.tif 000004
【図３】
2014167409.tif 000005
【図４】
2014167409.tif 000006
【図５】
2014167409.tif 000007
【図６】
2014167409.tif 000008
【図７】
2014167409.tif 000009
【図８】
2014167409.tif 000010
【図９】
2014167409.tif 000011
【図１０】
2014167409.tif 000012
【図１１】
2014167409.tif 000013
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
現在位置を検出する複数の移動通信端末とサーバの間で双方向通信を行い、前記移動通信端末で設定された目的地までの案内経路を前記サーバが検索して対応する前記移動通信端末に通知し、通知された前記案内経路に基づいて前記移動通信端末が経路案内をするナビゲーションシステムであって、
さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、
前記複数種類のコンテンツファイルのそれぞれは、前記複数の移動通信端末に表示又は出力させるコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記複数の移動通信端末は、
前記複数種類のコンテンツファイル及び前記案内ファイルを受信するデジタル放送受信部を備え、
各移動通信端末で検出し且つ前記案内ファイルに含まれる前記現在位置を含む現在地域の識別子又は前記サーバから通知された案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送から抽出し、
各移動通信端末で抽出した前記コンテンツファイルに含まれるコンテンツ情報を表示又は出力する
ことを特徴とするナビゲーションシステム。
【請求項２】
請求項１記載のナビゲーションシステムにおいて、
前記コンテンツファイルはそれぞれ複数の断片に分割され、
前記デジタル放送局は、前記複数種類のコンテンツファイルの断片それぞれを１度配信する配信周期の間に同一内容の前記案内ファイルを複数回配信する
ことを特徴とするナビゲーションシステム。
【請求項３】
請求項１又は２記載のナビゲーションシステムにおいて、
前記案内ファイルに含まれる前記関連付け情報は、前記コンテンツファイルの識別子及び前記放送対象地域の識別子に関連づけた各コンテンツファイルの更新情報を含み、
前記移動通信端末は、あるコンテンツファイルを受信した後、前記コンテンツファイルの識別子が同一である新たなコンテンツファイルを受信した場合、前記更新情報が内容の更新を示すものであれば、前記新たなコンテンツファイルに含まれるコンテンツ情報を表示又は出力し、前記更新情報が内容の更新を示すものでなければ、前記新たなコンテンツファイルに含まれるコンテンツ情報を表示又は出力しない
ことを特徴とするナビゲーションシステム。
【請求項４】
請求項２又は請求項２に従属する請求項３記載のナビゲーションシステムにおいて、
前記案内ファイルは、さらに、前記断片の数に関する情報を含み、
前記移動通信端末は、抽出対象の前記コンテンツファイルの断片の数がそろわない場合、次回の配信周期まで受信済の前記断片を記憶し続ける
ことを特徴とするナビゲーションシステム。
【請求項５】
請求項１〜４のいずれか１項に記載のナビゲーションシステムにおいて、
前記複数種類のコンテンツファイルは、前記コンテンツ情報の内容に対応したカテゴリ毎に区分され、
前記案内ファイル又は前記コンテンツファイル自体は、前記コンテンツ情報の表示又は出力に関する優先度を前記カテゴリ毎に規定した優先度情報を含み、
前記デジタル放送局は、前記優先度に応じて放送帯域又は配信周期を設定して前記コンテンツファイルを放送し、
前記移動通信端末は、前記優先度情報に応じて前記コンテンツ情報を表示又は出力する
ことを特徴とするナビゲーションシステム。
【請求項６】
複数の移動通信端末とサーバの間で双方向通信を行う双方向通信ステップと、デジタル放送局から前記複数の移動通信端末に対してデジタル放送するデジタル放送ステップとを備える情報提供方法であって、
前記双方向通信ステップは、
前記移動通信端末から前記サーバに対して、前記移動通信端末の現在位置と、目的地までの案内経路の探索要求とを無線通信を介して行う経路探索要求ステップと、
前記サーバが探索した前記案内経路を、前記サーバから前記移動通信端末に対して無線通信を介して送信する探索経路送信ステップと、
前記移動通信端末において、前記サーバから取得した前記案内経路を用いて経路案内を行う経路案内ステップと
を備え、
前記デジタル放送ステップは、
前記デジタル放送局から前記複数の移動通信端末に対してコンテンツ情報をデジタル放送する放送ステップと、
前記移動通信端末において、前記デジタル放送を受信して前記デジタル放送に含まれる前記コンテンツ情報を表示又は出力するコンテンツ受信ステップと
を備え、
前記デジタル放送は、複数種類のコンテンツファイル及び少なくとも１つの案内ファイルからなる複数のデータファイルの放送を含み、
前記複数種類のコンテンツファイルのそれぞれは、前記複数の移動通信端末に表示又は出力させる前記コンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記コンテンツ受信ステップは、
前記案内ファイルに含まれ且つ前記現在位置を含む現在地域の識別子又は前記サーバから取得した案内経路を含む移動予定地域の識別子と一致する前記放送対象地域の識別子に関連付けられた前記コンテンツファイルを前記関連付け情報を用いて特定するコンテンツファイル特定ステップと、
特定した前記コンテンツファイルを前記デジタル放送から抽出するコンテンツファイル抽出ステップと、
抽出した前記コンテンツファイルに含まれるコンテンツ情報を表示又は出力するコンテンツ表示・出力ステップと
を有することを特徴とする情報提供方法。
【請求項７】
現在位置を検出する現在位置検出部と、
目的地を入力する目的地入力部と、
前記目的地までの案内経路を表示又は出力する経路案内部と、
前記案内経路を探索するサーバと通信する無線通信部と、
デジタル放送を受信するデジタル放送受信部と
を備える移動通信端末であって、
前記デジタル放送受信部は、前記デジタル放送から複数種類のコンテンツファイル及び少なくとも１つの案内ファイルを特定し、
前記複数種類のコンテンツファイルのそれぞれは、前記経路案内部が表示又は出力するコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記経路案内部は、
前記現在位置検出部が検出した前記現在位置と、前記目的地入力部に入力された前記目的地までの案内経路の探索要求とを前記無線通信部を介して前記サーバに要求し、
前記サーバが探索した前記案内経路を前記無線通信部を介して取得し、
さらに、前記経路案内部は、
前記案内ファイルに含まれ且つ前記現在位置検出部が検出した前記現在位置を含む現在地域の識別子又は前記サーバから取得した案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送受信部を介して前記デジタル放送から抽出し、
抽出した前記コンテンツファイルに含まれるコンテンツ情報を表示又は出力する
ことを特徴とする移動通信端末。
【請求項８】
現在位置検出機能を有する複数の移動通信端末それぞれにおいて経路案内を行うナビゲーションシステムであって、
さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、
前記複数種類のコンテンツファイルのそれぞれは、前記複数の移動通信端末に表示又は出力させるコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記複数の移動通信端末は、
前記複数種類のコンテンツファイル及び前記案内ファイルを受信するデジタル放送受信部を備え、
各移動通信端末で検出した現在位置を含む現在地域の識別子又は前記移動通信端末に入力された目的地までの案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送から抽出し、
各移動通信端末で抽出した前記コンテンツファイルに含まれるコンテンツ情報を表示又は出力する
ことを特徴とするナビゲーションシステム。
【請求項９】
現在位置検出機能を有する複数の移動通信端末に対してデジタル放送局からデジタル放送による情報提供を行う情報提供方法であって、
前記情報提供方法は、
前記デジタル放送局から前記複数の移動通信端末に対してコンテンツ情報をデジタル放送する放送ステップと、
前記移動通信端末において、前記デジタル放送を受信して前記デジタル放送に含まれる前記コンテンツ情報を表示又は出力するコンテンツ受信ステップと
を備え、
前記デジタル放送は、複数種類のコンテンツファイル及び少なくとも１つの案内ファイルからなる複数のデータファイルの放送を含み、
前記複数種類のコンテンツファイルのそれぞれは、前記複数の移動通信端末に表示又は出力させる前記コンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記コンテンツ受信ステップは、
前記移動通信端末で検出した現在位置を含む現在地域の識別子又は前記移動通信端末に入力された目的地までの案内経路を含む移動予定地域の識別子と一致する前記放送対象地域の識別子に関連付けられた前記コンテンツファイルを前記関連付け情報を用いて特定するコンテンツファイル特定ステップと、
特定した前記コンテンツファイルを前記デジタル放送から抽出するコンテンツファイル抽出ステップと、
抽出した前記コンテンツファイルに含まれるコンテンツ情報を表示又は出力するコンテンツ表示・出力ステップと
を有することを特徴とする情報提供方法。
【請求項１０】
現在位置を検出する現在位置検出部と、
目的地を入力する目的地入力部と、
前記目的地までの案内経路を表示又は出力する経路案内部と、
デジタル放送を受信するデジタル放送受信部と
を備える移動通信端末であって、
前記デジタル放送受信部は、前記デジタル放送から複数種類のコンテンツファイル及び少なくとも１つの案内ファイルを特定し、
前記複数種類のコンテンツファイルのそれぞれは、前記経路案内部が表示又は出力するコンテンツ情報と、前記複数種類のコンテンツファイルの識別子とを含み、
前記案内ファイルは、前記複数種類のコンテンツファイルの識別子と放送対象地域の識別子とを関連付けした情報である関連付け情報を含み、
前記経路案内部は、
前記現在位置検出部が検出した前記現在位置を含む現在地域の識別子又は前記目的地入力部に入力された前記目的地までの案内経路を含む移動予定地域の識別子と一致する前記放送対象地域の識別子に関連付けられた前記コンテンツファイルを前記関連付け情報を用いて特定し、
特定した前記コンテンツファイルを前記デジタル放送受信部を介して前記デジタル放送から抽出し、
抽出した前記コンテンツファイルに含まれるコンテンツ情報を表示又は出力する
ことを特徴とする移動通信端末。
【手続補正書】
【提出日】平成26年6月19日(2014.6.19)
【手続補正１】
【補正対象書類名】明細書
【補正対象項目名】０００９
【補正方法】変更
【補正の内容】
【０００９】
本発明に係るナビゲーションシステムは、現在位置を検出する複数の移動通信端末とサーバの間で双方向通信を行い、前記移動通信端末で設定された目的地までの案内経路を前記サーバが検索して対応する前記移動通信端末に通知し、通知された前記案内経路に基づいて前記移動通信端末が経路案内をするものであって、さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、前記複数種類のコンテンツファイルのそれぞれは、前記移動通信端末に表示又は出力させるコンテンツ情報と、このコンテンツ情報に対応するコンテンツ情報識別子とを含み、前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、前記移動通信端末は、前記複数種類のコンテンツファイル及び前記案内ファイルを順次受信するデジタル放送受信部を備え、各移動通信端末で検出した前記案内ファイルに含まれる前記現在位置を含む現在地域の地域識別子又は前記サーバから通知された案内経路を含む移動予定地域の地域識別子と一致する前記放送対象地域の前記地域識別子に関連付けられた前記コンテンツ情報識別子に対応する前記コンテンツファイルを特定し、特定した前記コンテンツファイルを前記デジタル放送から抽出し、抽出した前記コンテンツファイルに含まれるコンテンツ情報を表示又は出力することを特徴とする。
【手続補正２】
【補正対象書類名】明細書
【補正対象項目名】００１１
【補正方法】変更
【補正の内容】
【００１１】
また、各移動通信端末では案内ファイルを参照した上、コンテンツ情報識別子を監視することで抽出すべきコンテンツファイルを特定する。このため、コンテンツファイル中のコンテンツ情報の内容を確認する必要がなくなり、各移動通信端末は、現在位置又は案内経路に関連するコンテンツファイルを効率よく取捨選択することが可能となる。
【手続補正３】
【補正対象書類名】明細書
【補正対象項目名】００１３
【補正方法】変更
【補正の内容】
【００１３】
前記案内ファイルに含まれる前記関連付け情報は、前記コンテンツ情報識別子及び前記放送対象地域の前記地域識別子に関連付けた各コンテンツファイルの更新情報を含み、前記移動通信端末は、あるコンテンツファイルを受信した後、前記コンテンツ情報識別子が同一である新たなコンテンツファイルを受信した場合、前記更新情報が内容の更新を示すものであれば、前記新たなコンテンツファイルに含まれるコンテンツ情報を表示又は出力し、前記更新情報が内容の更新を示すものでなければ、前記新たなコンテンツファイルに含まれるコンテンツ情報を表示又は出力しなくてもよい。これにより、全く同一のコンテンツ情報を含むコンテンツファイルを処理する負荷を軽減することが可能となる。
【手続補正４】
【補正対象書類名】明細書
【補正対象項目名】００１７
【補正方法】変更
【補正の内容】
【００１７】
本発明に係る情報提供方法は、複数の移動通信端末とサーバの間で双方向通信を行う双方向通信ステップと、デジタル放送局から前記複数の移動通信端末に対してデジタル放送するデジタル放送ステップとを備えるものであって、前記双方向通信ステップは、前記移動通信端末から前記サーバに対して、前記移動通信端末の現在位置と、目的地までの案内経路の探索要求とを無線通信を介して行う経路探索要求ステップと、前記サーバが探索した前記案内経路を、前記サーバから前記移動通信端末に対して無線通信を介して送信する探索経路送信ステップと、前記移動通信端末において、前記サーバから取得した前記案内経路を用いて経路案内を行う経路案内ステップとを備え、前記デジタル放送ステップは、前記デジタル放送局から前記複数の移動通信端末に対してコンテンツ情報をデジタル放送する放送ステップと、前記移動通信端末において、前記デジタル放送を受信して前記デジタル放送に含まれる前記コンテンツ情報を表示又は出力するコンテンツ受信ステップとを備え、前記デジタル放送は、複数種類のコンテンツファイル及び少なくとも１つの案内ファイルからなる複数のデータファイルの放送を含み、前記複数種類のコンテンツファイルのそれぞれは、前記移動通信端末に表示又は出力させる前記コンテンツ情報と、このコンテンツ情報に対応するコンテンツ情報識別子とを含み、前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、前記コンテンツ受信ステップは、前記案内ファイルに含まれ且つ前記現在位置を含む現在地域の地域識別子又は前記サーバから取得した案内経路を含む移動予定地域の地域識別子と一致する前記放送対象地域の前記地域識別子に関連付けられた前記コンテンツ情報識別子に対応する前記コンテンツファイルを特定するコンテンツファイル特定ステップと、特定した前記コンテンツファイルを前記デジタル放送から抽出するコンテンツファイル抽出ステップと、抽出した前記コンテンツファイルに含まれるコンテンツ情報を表示又は出力するコンテンツ表示・出力ステップとを有することを特徴とする。
【手続補正５】
【補正対象書類名】明細書
【補正対象項目名】００１８
【補正方法】変更
【補正の内容】
【００１８】
本発明に係る移動通信端末は、現在位置を検出する現在位置検出部と、目的地を入力する目的地入力部と、前記目的地までの案内経路を表示又は出力する経路案内部と、前記案内経路を探索するサーバと通信する無線通信部と、デジタル放送を受信するデジタル放送受信部とを備えるものであって、前記デジタル放送受信部は、前記デジタル放送から複数種類のコンテンツファイル及び少なくとも１つの案内ファイルを特定し、前記複数種類のコンテンツファイルのそれぞれは、前記経路案内部が表示又は出力するコンテンツ情報と、このコンテンツ情報に対応するコンテンツ情報識別子とを含み、前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、前記経路案内部は、前記現在位置検出部が検出した前記現在位置と、前記目的地入力部に入力された前記目的地までの案内経路の探索要求とを前記無線通信部を介して前記サーバに要求し、前記サーバが探索した前記案内経路を前記無線通信部を介して取得し、さらに、前記経路案内部は、前記案内ファイルに含まれ且つ前記現在位置検出部が検出した前記現在位置を含む現在地域の地域識別子又は前記サーバから取得した案内経路を含む移動予定地域の地域識別子と一致する前記放送対象地域の前記地域識別子に関連付けられた前記コンテンツ情報識別子に対応する前記コンテンツファイルを特定し、特定した前記コンテンツファイルを前記デジタル放送受信部を介して前記デジタル放送から抽出し、抽出した前記コンテンツファイルに含まれるコンテンツ情報を表示又は出力することを特徴とする。
【手続補正６】
【補正対象書類名】明細書
【補正対象項目名】００１９
【補正方法】変更
【補正の内容】
【００１９】
本発明に係るナビゲーションシステムは、現在位置検出機能を有する複数の移動通信端末それぞれにおいて経路案内を行うものであって、さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、前記複数種類のコンテンツファイルのそれぞれは、前記複数の移動通信端末に表示又は出力させるコンテンツ情報と、このコンテンツ情報に対応するコンテンツ情報識別子とを含み、前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、前記移動通信端末は、前記複数種類のコンテンツファイル及び前記案内ファイルを受信するデジタル放送受信部を備え、各移動通信端末で検出した現在位置を含む現在地域の地域識別子又は前記移動通信端末に入力された目的地までの案内経路を含む移動予定地域の地域識別子と一致する前記放送対象地域の前記地域識別子に関連付けられた前記コンテンツ情報識別子に対応する前記コンテンツファイルを特定し、特定した前記コンテンツファイルを前記デジタル放送から抽出し、各移動通信端末で抽出した前記コンテンツファイルに含まれるコンテンツ情報を表示又は出力することを特徴とする。
【手続補正７】
【補正対象書類名】明細書
【補正対象項目名】００２０
【補正方法】変更
【補正の内容】
【００２０】
本発明に係る情報提供方法は、現在位置検出機能を有する複数の移動通信端末に対してデジタル放送局からデジタル放送による情報提供を行うものであって、前記情報提供方法は、前記デジタル放送局から前記複数の移動通信端末に対してコンテンツ情報をデジタル放送する放送ステップと、前記移動通信端末において、前記デジタル放送を受信して前記デジタル放送に含まれる前記コンテンツ情報を表示又は出力するコンテンツ受信ステップとを備え、前記デジタル放送は、複数種類のコンテンツファイル及び少なくとも１つの案内ファイルからなる複数のデータファイルの放送を含み、前記複数種類のコンテンツファイルのそれぞれは、前記複数の移動通信端末に表示又は出力させる前記コンテンツ情報と、このコンテンツ情報に対応するコンテンツ情報識別子とを含み、前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、前記コンテンツ受信ステップは、前記移動通信端末で検出した現在位置を含む現在地域の地域識別子又は前記移動通信端末に入力された目的地までの案内経路を含む移動予定地域の地域識別子と一致する前記放送対象地域の前記地域識別子に関連付けられた前記コンテンツ情報識別子に対応する前記コンテンツファイルを特定するコンテンツファイル特定ステップと、特定した前記コンテンツファイルを前記デジタル放送から抽出するコンテンツファイル抽出ステップと、抽出した前記コンテンツファイルに含まれるコンテンツ情報を表示又は出力するコンテンツ表示・出力ステップとを有することを特徴とする。
【手続補正８】
【補正対象書類名】明細書
【補正対象項目名】００２１
【補正方法】変更
【補正の内容】
【００２１】
本発明に係る移動通信端末は、現在位置を検出する現在位置検出部と、目的地を入力する目的地入力部と、前記目的地までの案内経路を表示又は出力する経路案内部と、デジタル放送を受信するデジタル放送受信部とを備えるものであって、前記デジタル放送受信部は、前記デジタル放送から複数種類のコンテンツファイル及び少なくとも１つの案内ファイルを特定し、前記複数種類のコンテンツファイルのそれぞれは、前記経路案内部が表示又は出力するコンテンツ情報と、このコンテンツ情報に対応するコンテンツ情報識別子とを含み、前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、前記経路案内部は、前記現在位置検出部が検出した前記現在位置を含む現在地域の地域識別子又は前記目的地入力部に入力された前記目的地までの案内経路を含む移動予定地域の地域識別子と一致する前記放送対象地域の前記地域識別子に関連付けられた前記コンテンツ情報識別子に対応する前記コンテンツファイルを特定し、特定した前記コンテンツファイルを前記デジタル放送受信部を介して前記デジタル放送から抽出し、抽出した前記コンテンツファイルに含まれるコンテンツ情報を表示又は出力することを特徴とする。
【手続補正９】
【補正対象書類名】明細書
【補正対象項目名】００２２
【補正方法】変更
【補正の内容】
【００２２】
本発明に係る放送システムは、現在位置検出部を有する複数の通信端末に対して放送局から放送により情報提供を行うものであって、前記放送局は、複数種類のコンテンツファイル及び少なくとも１つの案内ファイルを含む複数のデータファイルを前記複数の通信端末に対して放送し、前記複数種類のコンテンツファイルのそれぞれは、前記複数の通信端末に表示又は出力させるコンテンツ情報と、このコンテンツ情報に対応するコンテンツ情報識別子とを含み、前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、前記複数の通信端末は、前記複数種類のコンテンツファイル及び前記案内ファイルを受信する放送受信部を備え、前記現在位置検出部により検出した現在位置に対応する前記放送対象地域の前記地域識別子と関連付けられた前記コンテンツ情報識別子に対応する前記コンテンツファイルを特定し、特定した前記コンテンツファイルを前記放送から抽出し、抽出した前記コンテンツファイルに含まれるコンテンツ情報を表示又は出力することを特徴とする。
【手続補正１０】
【補正対象書類名】特許請求の範囲
【補正対象項目名】全文
【補正方法】変更
【補正の内容】
【特許請求の範囲】
【請求項１】
現在位置を検出する複数の移動通信端末とサーバの間で双方向通信を行い、前記移動通信端末で設定された目的地までの案内経路を前記サーバが検索して対応する前記移動通信端末に通知し、通知された前記案内経路に基づいて前記移動通信端末が経路案内をするナビゲーションシステムであって、
さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、
前記複数種類のコンテンツファイルのそれぞれは、前記移動通信端末に表示又は出力させるコンテンツ情報と、このコンテンツ情報に対応するコンテンツ情報識別子とを含み、
前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、
前記移動通信端末は、
前記複数種類のコンテンツファイル及び前記案内ファイルを順次受信するデジタル放送受信部を備え、
各移動通信端末で検出した前記案内ファイルに含まれる前記現在位置を含む現在地域の地域識別子又は前記サーバから通知された案内経路を含む移動予定地域の地域識別子と一致する前記放送対象地域の前記地域識別子に関連付けられた前記コンテンツ情報識別子に対応する前記コンテンツファイルを特定し、
特定した前記コンテンツファイルを前記デジタル放送から抽出し、
各移動通信端末で抽出した前記コンテンツファイルに含まれるコンテンツ情報を表示又は出力する
ことを特徴とするナビゲーションシステム。
【請求項２】
請求項１記載のナビゲーションシステムにおいて、
前記コンテンツファイルはそれぞれ複数の断片に分割され、
前記デジタル放送局は、前記複数種類のコンテンツファイルの断片それぞれを１度配信する配信周期の間に同一内容の前記案内ファイルを複数回配信する
ことを特徴とするナビゲーションシステム。
【請求項３】
請求項１又は２記載のナビゲーションシステムにおいて、
前記案内ファイルに含まれる前記関連付け情報は、前記コンテンツ情報識別子及び前記放送対象地域の前記地域識別子に関連づけた各コンテンツファイルの更新情報を含み、
前記移動通信端末は、あるコンテンツファイルを受信した後、前記コンテンツ情報識別子が同一である新たなコンテンツファイルを受信した場合、前記更新情報が内容の更新を示すものであれば、前記新たなコンテンツファイルに含まれるコンテンツ情報を表示又は出力し、前記更新情報が内容の更新を示すものでなければ、前記新たなコンテンツファイルに含まれるコンテンツ情報を表示又は出力しない
ことを特徴とするナビゲーションシステム。
【請求項４】
請求項２又は請求項２に従属する請求項３記載のナビゲーションシステムにおいて、
前記案内ファイルは、さらに、前記断片の数に関する情報を含み、
前記移動通信端末は、抽出対象の前記コンテンツファイルの断片の数がそろわない場合、次回の配信周期まで受信済の前記断片を記憶し続ける
ことを特徴とするナビゲーションシステム。
【請求項５】
請求項１〜４のいずれか１項に記載のナビゲーションシステムにおいて、
前記複数種類のコンテンツファイルは、前記コンテンツ情報の内容に対応したカテゴリ毎に区分され、
前記案内ファイル又は前記コンテンツファイル自体は、前記コンテンツ情報の表示又は出力に関する優先度を前記カテゴリ毎に規定した優先度情報を含み、
前記デジタル放送局は、前記優先度に応じて放送帯域又は配信周期を設定して前記コンテンツファイルを放送し、
前記移動通信端末は、前記優先度情報に応じて前記コンテンツ情報を表示又は出力する
ことを特徴とするナビゲーションシステム。
【請求項６】
複数の移動通信端末とサーバの間で双方向通信を行う双方向通信ステップと、デジタル放送局から前記複数の移動通信端末に対してデジタル放送するデジタル放送ステップとを備える情報提供方法であって、
前記双方向通信ステップは、
前記移動通信端末から前記サーバに対して、前記移動通信端末の現在位置と、目的地までの案内経路の探索要求とを無線通信を介して行う経路探索要求ステップと、
前記サーバが探索した前記案内経路を、前記サーバから前記移動通信端末に対して無線通信を介して送信する探索経路送信ステップと、
前記移動通信端末において、前記サーバから取得した前記案内経路を用いて経路案内を行う経路案内ステップと
を備え、
前記デジタル放送ステップは、
前記デジタル放送局から前記複数の移動通信端末に対してコンテンツ情報をデジタル放送する放送ステップと、
前記移動通信端末において、前記デジタル放送を受信して前記デジタル放送に含まれる前記コンテンツ情報を表示又は出力するコンテンツ受信ステップと
を備え、
前記デジタル放送は、複数種類のコンテンツファイル及び少なくとも１つの案内ファイルからなる複数のデータファイルの放送を含み、
前記複数種類のコンテンツファイルのそれぞれは、前記移動通信端末に表示又は出力させる前記コンテンツ情報と、このコンテンツ情報に対応するコンテンツ情報識別子とを含み、
前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、
前記コンテンツ受信ステップは、
前記案内ファイルに含まれ且つ前記現在位置を含む現在地域の地域識別子又は前記サーバから取得した案内経路を含む移動予定地域の地域識別子と一致する前記放送対象地域の前記地域識別子に関連付けられた前記コンテンツ情報識別子に対応する前記コンテンツファイルを特定するコンテンツファイル特定ステップと、
特定した前記コンテンツファイルを前記デジタル放送から抽出するコンテンツファイル抽出ステップと、
抽出した前記コンテンツファイルに含まれるコンテンツ情報を表示又は出力するコンテンツ表示・出力ステップと
を有することを特徴とする情報提供方法。
【請求項７】
現在位置を検出する現在位置検出部と、
目的地を入力する目的地入力部と、
前記目的地までの案内経路を表示又は出力する経路案内部と、
前記案内経路を探索するサーバと通信する無線通信部と、
デジタル放送を受信するデジタル放送受信部と
を備える移動通信端末であって、
前記デジタル放送受信部は、前記デジタル放送から複数種類のコンテンツファイル及び少なくとも１つの案内ファイルを特定し、
前記複数種類のコンテンツファイルのそれぞれは、前記経路案内部が表示又は出力するコンテンツ情報と、このコンテンツ情報に対応するコンテンツ情報識別子とを含み、
前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、
前記経路案内部は、
前記現在位置検出部が検出した前記現在位置と、前記目的地入力部に入力された前記目的地までの案内経路の探索要求とを前記無線通信部を介して前記サーバに要求し、
前記サーバが探索した前記案内経路を前記無線通信部を介して取得し、
さらに、前記経路案内部は、
前記案内ファイルに含まれ且つ前記現在位置検出部が検出した前記現在位置を含む現在地域の地域識別子又は前記サーバから取得した案内経路を含む移動予定地域の地域識別子と一致する前記放送対象地域の前記地域識別子に関連付けられた前記コンテンツ情報識別子に対応する前記コンテンツファイルを特定し、
特定した前記コンテンツファイルを前記デジタル放送受信部を介して前記デジタル放送から抽出し、
抽出した前記コンテンツファイルに含まれるコンテンツ情報を表示又は出力する
ことを特徴とする移動通信端末。
【請求項８】
現在位置検出機能を有する複数の移動通信端末それぞれにおいて経路案内を行うナビゲーションシステムであって、
さらに、前記ナビゲーションシステムは、複数種類のコンテンツファイル及び少なくとも１つの案内ファイルを含む複数のデータファイルを前記複数の移動通信端末に対してデジタル放送するデジタル放送局を備え、
前記複数種類のコンテンツファイルのそれぞれは、前記複数の移動通信端末に表示又は出力させるコンテンツ情報と、このコンテンツ情報に対応するコンテンツ情報識別子とを含み、
前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、
前記移動通信端末は、
前記複数種類のコンテンツファイル及び前記案内ファイルを受信するデジタル放送受信部を備え、
各移動通信端末で検出した現在位置を含む現在地域の地域識別子又は前記移動通信端末に入力された目的地までの案内経路を含む移動予定地域の地域識別子と一致する前記放送対象地域の前記地域識別子に関連付けられた前記コンテンツ情報識別子に対応する前記コンテンツファイルを特定し、
特定した前記コンテンツファイルを前記デジタル放送から抽出し、
各移動通信端末で抽出した前記コンテンツファイルに含まれるコンテンツ情報を表示又は出力する
ことを特徴とするナビゲーションシステム。
【請求項９】
現在位置検出機能を有する複数の移動通信端末に対してデジタル放送局からデジタル放送による情報提供を行う情報提供方法であって、
前記情報提供方法は、
前記デジタル放送局から前記複数の移動通信端末に対してコンテンツ情報をデジタル放送する放送ステップと、
前記移動通信端末において、前記デジタル放送を受信して前記デジタル放送に含まれる前記コンテンツ情報を表示又は出力するコンテンツ受信ステップと
を備え、
前記デジタル放送は、複数種類のコンテンツファイル及び少なくとも１つの案内ファイルからなる複数のデータファイルの放送を含み、
前記複数種類のコンテンツファイルのそれぞれは、前記複数の移動通信端末に表示又は出力させる前記コンテンツ情報と、このコンテンツ情報に対応するコンテンツ情報識別子とを含み、
前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、
前記コンテンツ受信ステップは、
前記移動通信端末で検出した現在位置を含む現在地域の地域識別子又は前記移動通信端末に入力された目的地までの案内経路を含む移動予定地域の地域識別子と一致する前記放送対象地域の前記地域識別子に関連付けられた前記コンテンツ情報識別子に対応する前記コンテンツファイルを特定するコンテンツファイル特定ステップと、
特定した前記コンテンツファイルを前記デジタル放送から抽出するコンテンツファイル抽出ステップと、
抽出した前記コンテンツファイルに含まれるコンテンツ情報を表示又は出力するコンテンツ表示・出力ステップと
を有することを特徴とする情報提供方法。
【請求項１０】
現在位置を検出する現在位置検出部と、
目的地を入力する目的地入力部と、
前記目的地までの案内経路を表示又は出力する経路案内部と、
デジタル放送を受信するデジタル放送受信部と
を備える移動通信端末であって、
前記デジタル放送受信部は、前記デジタル放送から複数種類のコンテンツファイル及び少なくとも１つの案内ファイルを特定し、
前記複数種類のコンテンツファイルのそれぞれは、前記経路案内部が表示又は出力するコンテンツ情報と、このコンテンツ情報に対応するコンテンツ情報識別子とを含み、
前記案内ファイルは、前記複数種類のコンテンツファイルに含まれる前記コンテンツ情報識別子と、前記デジタル放送の放送対象地域を複数に分割して分割地域ごとに対応させて付した地域識別子とを関連付けした情報である関連付け情報を含み、
前記経路案内部は、
前記現在位置検出部が検出した前記現在位置を含む現在地域の地域識別子又は前記目的地入力部に入力された前記目的地までの案内経路を含む移動予定地域の地域識別子と一致する前記放送対象地域の前記地域識別子に関連付けられた前記コンテンツ情報識別子に対応する前記コンテンツファイルを特定し、
特定した前記コンテンツファイルを前記デジタル放送受信部を介して前記デジタル放送から抽出し、
抽出した前記コンテンツファイルに含まれるコンテンツ情報を表示又は出力する
ことを特徴とする移動通信端末。